(57)【要約】【課題】診断書の作成作業に掛かる負担を効果的に軽減することが可能な技術を提供する。【解決手段】診断書作成支援装置１は、診断書の様式を表す様式情報３１と、診断書に記入される情報を含む患者毎の医療情報３２とを予め記憶している。患者が指定されると、診断書作成支援装置１は、指定された患者の医療情報３２と、様式情報３１に基づく診断書様式画像１１０とを並べて表示する。オペレータが、表示された医療情報３２に含まれる情報と診断書様式画像１１０中の領域とを指定すると、診断書作成支援装置１は、指定された情報を診断書様式画像１１０中の指定領域に合成して合成画像を生成する。【選択図】図１
2009252023.tif 000002
【特許請求の範囲】
【請求項１】
診断書の様式を表す様式情報と、診断書に記入される情報を含む患者毎の医療情報とを予め記憶する記憶手段と、
表示手段と、
患者を指定するための指定手段と、
前記指定された患者の医療情報と、前記様式情報に基づく診断書様式画像とを並べて前記表示手段に表示させる制御手段と、
操作手段と、
前記表示された医療情報に含まれる情報と前記診断書様式画像中の領域とが前記操作手段により指定されたときに、前記診断書様式画像中の当該指定領域に当該情報を合成して合成画像を生成する生成手段と、
を備えることを特徴とする診断書作成支援装置。
【請求項２】
前記記憶手段は、診断書の様式と診断書への記入項目とを関連付ける関連情報を予め記憶し、
前記制御手段は、前記指定手段により診断書の様式が指定されたときに、前記指定された様式の診断書への記入項目を前記関連情報に基づいて特定する特定手段と、前記特定された記入項目に該当する情報を前記指定された患者の医療情報から検索する検索手段とを含み、前記検索された情報のみを前記診断書様式画像とともに表示させる、
ことを特徴とする請求項１に記載の診断書作成支援装置。
【請求項３】
前記記憶手段は、診断書の様式と診断書への各記入項目の記入領域のサイズ情報とを関連付ける関連情報を予め記憶し、
前記生成手段は、前記操作手段により前記情報として文字列情報が指定されたときに、診断書様式画像中の前記指定領域に対応する記入領域のサイズ情報と前記文字列情報とに基づいて、当該文字列情報全体が当該記入領域内に呈示されるように前記文字列情報を変換する変換手段を含み、前記変換された文字列情報と前記診断書様式画像とを合成して前記合成画像を生成する、
ことを特徴とする請求項１に記載の診断書作成支援装置。
【請求項４】
医療情報が記入される前の診断書に印刷された情報を読み取る読取手段を更に備え、
前記記憶手段は、前記読み取られた情報を前記様式情報として記憶し、
前記制御手段は、前記読み取られた情報に基づく画像を前記診断書様式画像として表示させる、
ことを特徴とする請求項１に記載の診断書作成支援装置。
【請求項５】
前記読取手段により診断書から情報が読み取られたときに、当該診断書の様式と前記様式情報に示す様式とが一致するか否か判断し、一致しないと判断されたときに、前記様式情報を前記読み取られた情報に基づいて更新する更新手段を更に備える、
ことを特徴とする請求項４に記載の診断書作成支援装置。
【請求項６】
前記読取手段は、診断書に印刷された文字列情報を読み取る文字列読取手段を含み、
前記制御手段は、前記読み取られた文字列情報を解析して該診断書への記入項目を特定する特定手段と、前記特定された記入項目に該当する情報を前記指定された患者の医療情報から検索する検索手段とを含み、前記検索された情報のみを前記診断書様式画像とともに表示させる、
ことを特徴とする請求項４に記載の診断書作成支援装置。
【請求項７】
診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、
患者及び診断書の様式を指定するための指定手段と、
前記指定された様式の診断書への記入項目を前記関連情報に基づいて特定する特定手段と、
前記特定された記入項目に該当する情報を前記指定された患者の医療情報から検索する検索手段と、
前記関連情報に基づいて、前記指定された様式の様式情報に基づく診断書様式画像への前記検索された情報の記入領域を特定し、該特定結果に基づいて、前記検索された情報を前記診断書様式画像に合成して合成画像を生成する生成手段と、
表示手段と、
前記検索された情報と前記合成画像とを並べて前記表示手段に表示させる表示制御手段と、
を備えることを特徴とする診断書作成支援装置。
【請求項８】
診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、
患者及び診断書の様式を指定するための指定手段と、
前記指定された様式の診断書への記入項目を前記関連情報に基づいて特定する特定手段と、
前記特定された記入項目に該当する情報を前記指定された患者の医療情報から検索する検索手段と、
表示手段と、
操作手段と、
前記検索された情報と前記指定された様式の様式情報に基づく診断書様式画像とを並べて前記表示手段に表示させる表示制御手段と、
前記表示された情報のうちのいずれかが前記操作手段により指定されたときに、前記関連情報に基づいて当該指定された情報に対応する前記診断書様式画像中の記入領域を特定し、該特定された記入領域の表示態様を変更する変更手段と、
前記操作手段により所定の操作がなされたときに、前記診断書様式画像中の当該記入領域に当該情報を合成して合成画像を生成する生成手段と、
を備えることを特徴とする診断書作成支援装置。
【請求項９】
診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、
患者及び診断書の様式を指定するための指定手段と、
前記指定された様式の診断書への記入項目を前記関連情報に基づいて特定する特定手段と、
前記特定された記入項目に該当する情報を前記指定された患者の医療情報から検索する検索手段と、
表示手段と、
操作手段と、
前記検索された情報と前記指定された様式の様式情報に基づく診断書様式画像とを並べて前記表示手段に表示させる表示制御手段と、
前記診断書様式画像中の記入領域が前記操作手段により指定されたときに、前記関連情報に基づいて当該指定された記入領域に対応する情報を前記検索された情報のうちから特定し、該特定された情報の表示態様を変更する変更手段と、
前記操作手段により所定の操作がなされたときに、前記診断書様式画像中の当該記入領域に当該情報を合成して合成画像を生成する生成手段と、
を備えることを特徴とする診断書作成支援装置。
【請求項１０】
前記関連情報は、診断書への各記入項目の記入領域のサイズ情報を含み、
前記生成手段は、前記検索手段により前記情報として文字列情報が検索されたときに、診断書様式画像中の当該記入領域のサイズ情報と前記文字列情報とに基づいて、当該文字列情報全体が当該記入領域内に呈示されるように前記文字列情報を変換する変換手段を含み、前記変換された文字列情報と前記診断書様式画像とを合成して前記合成画像を生成する、
ことを特徴とする請求項７〜請求項９のいずれか一項に記載の診断書作成支援装置。
【請求項１１】
医療情報が記入される前の診断書に印刷された情報を読み取る読取手段を更に備え、
前記記憶手段は、前記読み取られた情報を前記様式情報として記憶し、
前記制御手段は、前記読み取られた情報に基づく画像を前記診断書様式画像として表示させる、
ことを特徴とする請求項７〜請求項９のいずれか一項に記載の診断書作成支援装置。
【請求項１２】
前記読取手段により診断書から情報が読み取られたときに、当該診断書の様式と前記様式情報に示す様式とが一致するか否か判断し、一致しないと判断されたときに、前記様式情報を前記読み取られた情報に基づいて更新する更新手段を更に備える、
ことを特徴とする請求項１１に記載の診断書作成支援装置。
【請求項１３】
前記読取手段は、診断書に印刷された文字列情報を読み取る文字列読取手段を含み、
前記特定手段は、前記読み取られた文字列情報を解析して該診断書への記入項目を特定し、
前記検索手段は、該特定された記入項目に該当する情報を前記指定された患者の医療情報から検索し、
前記表示制御手段は、該検索された情報のみを前記診断書様式画像とともに表示させる、
ことを特徴とする請求項１１に記載の診断書作成支援装置。
【請求項１４】
前記読取手段は、診断書に印刷された文字列情報を読み取るとともに、該診断書における当該文字列情報の印刷位置情報を取得する文字列読取手段を含み、
前記特定手段は、前記読み取られた文字列情報を解析して該診断書への記入項目を特定するとともに、前記取得された印刷位置情報に基づいて当該記入項目の情報の該診断書への記入領域を特定し、
前記記憶手段は、該特定された記入項目及び記入領域を含む前記関連情報を記憶する、
ことを特徴とする請求項１１に記載の診断書作成支援装置。
【請求項１５】
前記生成手段により生成された合成画像を出力する出力手段を更に備える、
ことを特徴とする請求項１〜請求項１４のいずれか一項に記載の診断書作成支援装置。
【請求項１６】
前記生成手段は、前記合成画像中における前記情報の位置情報を取得し、
前記情報及び前記位置情報に基づいて所定の出力結果を得る出力手段を更に備える、
ことを特徴とする請求項１〜請求項１４のいずれか一項に記載の診断書作成支援装置。
【請求項１７】
診断書の様式を表す様式情報と、診断書に記入される情報を含む患者毎の医療情報とを予め記憶するコンピュータを、
患者を指定するための指定手段、
前記指定された患者の医療情報と、前記様式情報に基づく診断書様式画像とを並べて表示させる制御手段、及び、
前記表示された医療情報に含まれる情報と前記診断書様式画像中の領域とが指定されたときに、前記診断書様式画像中の当該指定領域に当該情報を合成して合成画像を生成する生成手段として機能させる、
ことを特徴とするプログラム。
【請求項１８】
診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、
患者及び診断書の様式を指定するための指定手段、
前記指定された様式の診断書への記入項目を前記関連情報に基づいて特定する特定手段、
前記特定された記入項目に該当する情報を前記指定された患者の医療情報から検索する検索手段、
前記関連情報に基づいて、前記指定された様式の様式情報に基づく診断書様式画像への前記検索された情報の記入領域を特定し、該特定結果に基づいて、前記検索された情報を前記診断書様式画像に合成して合成画像を生成する生成手段、及び、
前記検索された情報と前記合成画像とを並べて表示させる表示制御手段として機能させる、
ことを特徴とするプログラム。
【請求項１９】
診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、
患者及び診断書の様式を指定するための指定手段、
前記指定された様式の診断書への記入項目を前記関連情報に基づいて特定する特定手段、
前記特定された記入項目に該当する情報を前記指定された患者の医療情報から検索する検索手段、
前記検索された情報と前記指定された様式の様式情報に基づく診断書様式画像とを並べて表示させる表示制御手段、
前記表示された情報のうちのいずれかが指定されたときに、前記関連情報に基づいて当該指定された情報に対応する前記診断書様式画像中の記入領域を特定し、該特定された記入領域の表示態様を変更する変更手段、及び、
所定の操作がなされたときに、前記診断書様式画像中の当該記入領域に当該情報を合成して合成画像を生成する生成手段として機能させる、
ことを特徴とするプログラム。
【請求項２０】
診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、
患者及び診断書の様式を指定するための指定手段、
前記指定された様式の診断書への記入項目を前記関連情報に基づいて特定する特定手段、
前記特定された記入項目に該当する情報を前記指定された患者の医療情報から検索する検索手段、
前記検索された情報と前記指定された様式の様式情報に基づく診断書様式画像とを並べて表示させる表示制御手段、
前記診断書様式画像中の記入領域が指定されたときに、前記関連情報に基づいて当該指定された記入領域に対応する情報を前記検索された情報のうちから特定し、該特定された情報の表示態様を変更する変更手段、及び、
所定の操作がなされたときに、前記診断書様式画像中の当該記入領域に当該情報を合成して合成画像を生成する生成手段として機能させる、
ことを特徴とするプログラム。
【発明の詳細な説明】
【技術分野】
【０００１】
この発明は、診断書の作成を支援する診断書作成支援装置及びプログラムに関する。
【背景技術】
【０００２】
診断書は、診断の結果を記載した証明書であり、入院・手術証明書などとも呼ばれる。診断書は、医師が患者からの要請を受けて作成する書類である。医師は、一般に、診察時間を割いて診断書を作成している。
【０００３】
従来、診断書の作成は手書きで行うようになっており、その作業は煩雑であった。また、診断書の様式は統一化されておらず、たとえば保険会社毎に異なる様式が用いられているのが現状である。このような事情から、診断書作成作業の効率化への要望が従来より存在し、この要望を満足するための様々な提案がなされてきた。
【０００４】
たとえば特許文献１に開示されたシステムは、診断書種別毎に必要な項目の入力の有無を蓄積するテーブル情報と、診断書種別に関連付けて診断書フォーマット（様式）データを蓄積するファイルとを備えている。更に、このシステムは、発行依頼を受けた診断書の種別に基づいて、上記テーブル情報を検索して、その診断書フォームに対応した入力項目のみを含む画面を医師用端末に表示させる。医師は、この画面の各項目について情報を入力する。このシステムは、医師により入力された情報を上記診断書フォームに書き込んで診断書のデータを作成し、この診断書を医師用端末に表示する。なお、このシステムは、通信回線を介して接続された医事管理端末、医療機関サーバ、医師用端末及び医療データベースにより構成されている。
【０００５】
【特許文献１】特開２００６−８５６８４号公報
【発明の開示】
【発明が解決しようとする課題】
【０００６】
このような従来の技術によれば、診断書の作成作業に掛かる負担は或る程度軽減されると思われる。一方、従来の技術には次のような問題があると考えられる。
【０００７】
まず、特許文献１のシステムにおいては、必要な項目を限定できるという利点はあるが、医師自身が情報を手入力しなければならないため、依然として手間が掛かってしまう。また、特許文献１には、医師による情報入力の具体的方法が開示されていないため、必要な項目の限定以外に、どのような理由で作業性が向上されるのか明確に把握できない。
【０００８】
また、特許文献１のシステムにおいては、医師が入力した情報を医師端末から受けた医療機関サーバが診断書を作成するようになっている。医師は、医療機関サーバにより作成された診断書の内容を確認することができる。しかし、この診断書の修正や追加を行う場合、（特許文献１には記載されていないが、当該構成から判断すると、）医師は、修正事項や追加事項を入力し、この修正事項等を受けた医療機関サーバが新たな診断書を作成し、この新たな診断書を医師用端末に送って表示することになる。つまり、医師自身が容易かつ迅速に診断書の内容を修正したり追加したりできないと想定される。
【０００９】
また、特許文献１のシステムにおいては、データベースに蓄積されていない様式の診断書の作成が困難である。たとえば、データベースに蓄積されていない様式の診断書（未記入のもの）を患者が持参して医師に作成を依頼した場合、このシステムでは、当該診断書に直接に情報を印刷することができない。なお、少なくとも現状においては、診断書の様式が保険会社毎に異なっているため、このシステムによれば、全ての様式の診断書を予め蓄積しておかない限り、上記の問題に直面することとなる。
【００１０】
また、保険会社等の印鑑が予め押印された診断書（未記入のもの）を患者が持参して診断書の作成を依頼する場合もある。このような場合、医師は、患者が持参した用紙自体に情報を記入する必要がある。しかし、特許文献１のシステムでは、診断書の様式と記入内容とを合成したデータが作成されるので、患者が持参した用紙自体に情報を記入（印刷）することは困難である。
【００１１】
以上に説明したように、従来の技術では、少なくとも上記のような場面においては、診断書を作成する作業に掛かる負担を十分に軽減させることができない。
【００１２】
この発明は、このような問題を解決するためになされたものであり、その目的は、診断書の作成作業に掛かる負担を効果的に軽減することが可能な技術を提供することにある。
【課題を解決するための手段】
【００１３】
上記目的を達成するために、請求項１に記載の発明は、診断書の様式を表す様式情報と、診断書に記入される情報を含む患者毎の医療情報とを予め記憶する記憶手段と、表示手段と、患者を指定するための指定手段と、前記指定された患者の医療情報と、前記様式情報に基づく診断書様式画像とを並べて前記表示手段に表示させる制御手段と、操作手段と、前記表示された医療情報に含まれる情報と前記診断書様式画像中の領域とが前記操作手段により指定されたときに、前記診断書様式画像中の当該指定領域に当該情報を合成して合成画像を生成する生成手段と、を備えることを特徴とする診断書作成支援装置である。
【００１４】
また、請求項２に記載の発明は、請求項１に記載の診断書作成支援装置であって、前記記憶手段は、診断書の様式と診断書への記入項目とを関連付ける関連情報を予め記憶し、前記制御手段は、前記指定手段により診断書の様式が指定されたときに、前記指定された様式の診断書への記入項目を前記関連情報に基づいて特定する特定手段と、前記特定された記入項目に該当する情報を前記指定された患者の医療情報から検索する検索手段とを含み、前記検索された情報のみを前記診断書様式画像とともに表示させる、ことを特徴とする。
【００１５】
また、請求項３に記載の発明は、請求項１に記載の診断書作成支援装置であって、前記記憶手段は、診断書の様式と診断書への各記入項目の記入領域のサイズ情報とを関連付ける関連情報を予め記憶し、前記生成手段は、前記操作手段により前記情報として文字列情報が指定されたときに、診断書様式画像中の前記指定領域に対応する記入領域のサイズ情報と前記文字列情報とに基づいて、当該文字列情報全体が当該記入領域内に呈示されるように前記文字列情報を変換する変換手段を含み、前記変換された文字列情報と前記診断書様式画像とを合成して前記合成画像を生成する、ことを特徴とする。
【００１６】
また、請求項４に記載の発明は、請求項１に記載の診断書作成支援装置であって、医療情報が記入される前の診断書に印刷された情報を読み取る読取手段を更に備え、前記記憶手段は、前記読み取られた情報を前記様式情報として記憶し、前記制御手段は、前記読み取られた情報に基づく画像を前記診断書様式画像として表示させる、ことを特徴とする。
【００１７】
また、請求項５に記載の発明は、請求項４に記載の診断書作成支援装置であって、前記読取手段により診断書から情報が読み取られたときに、当該診断書の様式と前記様式情報に示す様式とが一致するか否か判断し、一致しないと判断されたときに、前記様式情報を前記読み取られた情報に基づいて更新する更新手段を更に備える、ことを特徴とする。
【００１８】
また、請求項６に記載の発明は、請求項４に記載の診断書作成支援装置であって、前記読取手段は、診断書に印刷された文字列情報を読み取る文字列読取手段を含み、前記制御手段は、前記読み取られた文字列情報を解析して該診断書への記入項目を特定する特定手段と、前記特定された記入項目に該当する情報を前記指定された患者の医療情報から検索する検索手段とを含み、前記検索された情報のみを前記診断書様式画像とともに表示させる、ことを特徴とする。
【００１９】
また、請求項７に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、患者及び診断書の様式を指定するための指定手段と、前記指定された様式の診断書への記入項目を前記関連情報に基づいて特定する特定手段と、前記特定された記入項目に該当する情報を前記指定された患者の医療情報から検索する検索手段と、前記関連情報に基づいて、前記指定された様式の様式情報に基づく診断書様式画像への前記検索された情報の記入領域を特定し、該特定結果に基づいて、前記検索された情報を前記診断書様式画像に合成して合成画像を生成する生成手段と、表示手段と、前記検索された情報と前記合成画像とを並べて前記表示手段に表示させる表示制御手段と、を備えることを特徴とする診断書作成支援装置である。
【００２０】
また、請求項８に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、患者及び診断書の様式を指定するための指定手段と、前記指定された様式の診断書への記入項目を前記関連情報に基づいて特定する特定手段と、前記特定された記入項目に該当する情報を前記指定された患者の医療情報から検索する検索手段と、表示手段と、操作手段と、前記検索された情報と前記指定された様式の様式情報に基づく診断書様式画像とを並べて前記表示手段に表示させる表示制御手段と、前記表示された情報のうちのいずれかが前記操作手段により指定されたときに、前記関連情報に基づいて当該指定された情報に対応する前記診断書様式画像中の記入領域を特定し、該特定された記入領域の表示態様を変更する変更手段と、前記操作手段により所定の操作がなされたときに、前記診断書様式画像中の当該記入領域に当該情報を合成して合成画像を生成する生成手段と、を備えることを特徴とする診断書作成支援装置である。
【００２１】
また、請求項９に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶する記憶手段と、患者及び診断書の様式を指定するための指定手段と、前記指定された様式の診断書への記入項目を前記関連情報に基づいて特定する特定手段と、前記特定された記入項目に該当する情報を前記指定された患者の医療情報から検索する検索手段と、表示手段と、操作手段と、前記検索された情報と前記指定された様式の様式情報に基づく診断書様式画像とを並べて前記表示手段に表示させる表示制御手段と、前記診断書様式画像中の記入領域が前記操作手段により指定されたときに、前記関連情報に基づいて当該指定された記入領域に対応する情報を前記検索された情報のうちから特定し、該特定された情報の表示態様を変更する変更手段と、前記操作手段により所定の操作がなされたときに、前記診断書様式画像中の当該記入領域に当該情報を合成して合成画像を生成する生成手段と、を備えることを特徴とする診断書作成支援装置である。
【００２２】
また、請求項１０に記載の発明は、請求項７〜請求項９のいずれか一項に記載の診断書作成支援装置であって、前記関連情報は、診断書への各記入項目の記入領域のサイズ情報を含み、前記生成手段は、前記検索手段により前記情報として文字列情報が検索されたときに、診断書様式画像中の当該記入領域のサイズ情報と前記文字列情報とに基づいて、当該文字列情報全体が当該記入領域内に呈示されるように前記文字列情報を変換する変換手段を含み、前記変換された文字列情報と前記診断書様式画像とを合成して前記合成画像を生成する、ことを特徴とする。
【００２３】
また、請求項１１に記載の発明は、請求項７〜請求項９のいずれか一項に記載の診断書作成支援装置であって、医療情報が記入される前の診断書に印刷された情報を読み取る読取手段を更に備え、前記記憶手段は、前記読み取られた情報を前記様式情報として記憶し、前記制御手段は、前記読み取られた情報に基づく画像を前記診断書様式画像として表示させる、ことを特徴とする。
【００２４】
また、請求項１２に記載の発明は、請求項１１に記載の診断書作成支援装置であって、前記読取手段により診断書から情報が読み取られたときに、当該診断書の様式と前記様式情報に示す様式とが一致するか否か判断し、一致しないと判断されたときに、前記様式情報を前記読み取られた情報に基づいて更新する更新手段を更に備える、ことを特徴とする。
【００２５】
また、請求項１３に記載の発明は、請求項１１に記載の診断書作成支援装置であって、前記読取手段は、診断書に印刷された文字列情報を読み取る文字列読取手段を含み、前記特定手段は、前記読み取られた文字列情報を解析して該診断書への記入項目を特定し、前記検索手段は、該特定された記入項目に該当する情報を前記指定された患者の医療情報から検索し、前記表示制御手段は、該検索された情報のみを前記診断書様式画像とともに表示させる、ことを特徴とする。
【００２６】
また、請求項１４に記載の発明は、請求項１１に記載の診断書作成支援装置であって、前記読取手段は、診断書に印刷された文字列情報を読み取るとともに、該診断書における当該文字列情報の印刷位置情報を取得する文字列読取手段を含み、前記特定手段は、前記読み取られた文字列情報を解析して該診断書への記入項目を特定するとともに、前記取得された印刷位置情報に基づいて当該記入項目の情報の該診断書への記入領域を特定し、前記記憶手段は、該特定された記入項目及び記入領域を含む前記関連情報を記憶する、ことを特徴とする。
【００２７】
また、請求項１５に記載の発明は、請求項１〜請求項１４のいずれか一項に記載の診断書作成支援装置であって、前記生成手段により生成された合成画像を出力する出力手段を更に備える、ことを特徴とする。
【００２８】
また、請求項１６に記載の発明は、請求項１〜請求項１４のいずれか一項に記載の診断書作成支援装置であって、前記生成手段は、前記合成画像中における前記情報の位置情報を取得し、前記情報及び前記位置情報に基づいて所定の出力結果を得る出力手段を更に備える、ことを特徴とする。
【００２９】
また、請求項１７に記載の発明は、診断書の様式を表す様式情報と、診断書に記入される情報を含む患者毎の医療情報とを予め記憶するコンピュータを、患者を指定するための指定手段、前記指定された患者の医療情報と、前記様式情報に基づく診断書様式画像とを並べて表示させる制御手段、及び、前記表示された医療情報に含まれる情報と前記診断書様式画像中の領域とが指定されたときに、前記診断書様式画像中の当該指定領域に当該情報を合成して合成画像を生成する生成手段として機能させる、ことを特徴とするプログラムである。
【００３０】
また、請求項１８に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、患者及び診断書の様式を指定するための指定手段、前記指定された様式の診断書への記入項目を前記関連情報に基づいて特定する特定手段、前記特定された記入項目に該当する情報を前記指定された患者の医療情報から検索する検索手段、前記関連情報に基づいて、前記指定された様式の様式情報に基づく診断書様式画像への前記検索された情報の記入領域を特定し、該特定結果に基づいて、前記検索された情報を前記診断書様式画像に合成して合成画像を生成する生成手段、及び、前記検索された情報と前記合成画像とを並べて表示させる表示制御手段として機能させる、ことを特徴とするプログラムである。
【００３１】
また、請求項１９に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、患者及び診断書の様式を指定するための指定手段、前記指定された様式の診断書への記入項目を前記関連情報に基づいて特定する特定手段、前記特定された記入項目に該当する情報を前記指定された患者の医療情報から検索する検索手段、前記検索された情報と前記指定された様式の様式情報に基づく診断書様式画像とを並べて表示させる表示制御手段、前記表示された情報のうちのいずれかが指定されたときに、前記関連情報に基づいて当該指定された情報に対応する前記診断書様式画像中の記入領域を特定し、該特定された記入領域の表示態様を変更する変更手段、及び、所定の操作がなされたときに、前記診断書様式画像中の当該記入領域に当該情報を合成して合成画像を生成する生成手段として機能させる、ことを特徴とするプログラムである。
【００３２】
また、請求項２０に記載の発明は、診断書の様式を表す様式情報と、診断書に記入される情報を含む患者毎の医療情報と、診断書の様式と診断書への記入項目及び当該記入項目の情報の記入領域とを関連付ける関連情報を予め記憶するコンピュータを、患者及び診断書の様式を指定するための指定手段、前記指定された様式の診断書への記入項目を前記関連情報に基づいて特定する特定手段、前記特定された記入項目に該当する情報を前記指定された患者の医療情報から検索する検索手段、前記検索された情報と前記指定された様式の様式情報に基づく診断書様式画像とを並べて表示させる表示制御手段、前記診断書様式画像中の記入領域が指定されたときに、前記関連情報に基づいて当該指定された記入領域に対応する情報を前記検索された情報のうちから特定し、該特定された情報の表示態様を変更する変更手段、及び、所定の操作がなされたときに、前記診断書様式画像中の当該記入領域に当該情報を合成して合成画像を生成する生成手段として機能させる、ことを特徴とするプログラムである。
【発明の効果】
【００３３】
この発明の第１の態様によれば、表示された医療情報と診断書様式画像中の領域とを指定するだけの簡単な作業によって診断書を作成することが可能である。したがって、診断書の作成作業に掛かる負担を効果的に軽減することが可能である。
【００３４】
この発明の第２の態様によれば、患者と診断書の様式とを指定するだけで、診断書を自動的に作成することが可能である。したがって、診断書の作成作業に掛かる負担を効果的に軽減することが可能である。
【００３５】
この発明の第３の態様によれば、指定された情報の記入領域を迅速かつ容易に見付けられるとともに、記入先の正否を迅速かつ容易に判断することができる。したがって、診断書の作成作業に掛かる負担を効果的に軽減することが可能である。
【００３６】
この発明の第４の態様によれば、指定された記入領域に記入される情報を迅速かつ容易に見付けられるとともに、この情報の正否を迅速かつ容易に判断することができる。したがって、診断書の作成作業に掛かる負担を効果的に軽減することが可能である。
【発明を実施するための最良の形態】
【００３７】
この発明に係る診断書作成支援装置及びプログラムの実施形態について、図面を参照しながら詳細に説明する。以下、３つの実施形態を説明する。第１、第２、第３の実施形態は、医療情報の診断書への記入を、それぞれ手作業、全自動、半自動で行うものである。
【００３８】
以下の実施形態において「診断書」とは、患者の病状、怪我や障害の状況、治療に要した入院等の手段などを証明する書類（いわゆる診断書）だけでなく、医療機関において作成され、かつ所定の様式を有する任意の書類をも含むものとする。たとえば、出生証明書、出産証書、死亡診断書、死体検案書、死胎検案書、健康診断書、紹介状、セカンド・オピニオン依頼書等の書類についても、この実施形態に係る「診断書」に含まれるものとする。なお、以下の説明においては、いわゆる診断書を例として取り上げるが、他の書類を取り扱う場合についても同様の構成を適用することが可能である。
【００３９】
〈第１の実施形態〉
［装置構成］
第１の実施形態に係る診断書作成支援装置について説明する。前述のように、この診断書作成支援装置は、診断書への情報入力を手作業で行う場合に使用される。この診断書作成支援装置の構成の一例を図１に示す。
【００４０】
診断書作成支援装置１は、たとえば汎用のコンピュータを含んで構成される。このコンピュータは、マイクロプロセッサ、ＲＡＭ、ＲＯＭ、ハードディスクドライブ、ディスプレイ、キーボード、マウス、ネットワークボード等を含んで構成される。
【００４１】
このコンピュータには、プリンタ、スキャナ、ドライブ装置等の各種周辺機器が接続されている。なお、ドライブ装置とは、たとえばＤＶＤドライブのように、記録メディアに記録された情報を読み取ったり、記録メディアに情報を書き込んだりするために使用される装置である。
【００４２】
診断書作成支援装置１は、ネットワークＮを介して医療情報データベース１０００と通信可能とされている。ネットワークＮは、たとえばＬＡＮである。
【００４３】
医療情報データベース１０００は、たとえば電子カルテデータベース等を含んでいる。医療情報データベース１０００には、患者毎に作成された医療情報（電子カルテ情報等）が格納されている。医療情報は、たとえば、当該医療機関において発行される患者ＩＤによって患者毎に管理されている。また、一般的な電子カルテデータベースと同様に、医療情報データベース１０００に格納される各情報には、その情報の属性を表す情報（属性情報）が付されている。すなわち、医療情報データベース１０００に格納される各情報は、それがどのような種別の情報であるか判別可能とされている。
【００４４】
診断書作成支援装置１は、制御部２、記憶部３、ユーザインターフェイス４、画像生成部５、スキャナ６、情報更新部７、画像出力部８及び通信部９を含んで構成される。通信部９は、ネットワークＮを介して通信を行うためのネットワークボード等の通信機器を含んでいる。
【００４５】
〔制御部〕
制御部２は、診断書作成支援装置１の各部を制御する。制御部２には、特定処理部２１、検索処理部２２及び表示制御部２３が設けられている。これら各部２１〜２３の詳細については後述する。
【００４６】
制御部２は、マイクロプロセッサ、ＲＡＭ、ＲＯＭ、ハードディスクドライブ等を含んで構成される。このハードディスクドライブには、図示しないプログラムが予め格納されている。マイクロプロセッサがこのプログラムをＲＡＭに展開することにより、制御部２は、後述の各種処理を実行する。制御部２は、この発明の「制御手段」の一例である。
【００４７】
〔記憶部〕
記憶部３は、診断書作成支援装置１により処理される各種の情報を記憶する。特に、記憶部３には、様式情報３１、医療情報３２及び関連情報３３が記憶される。記憶部３は、ハードディスクドライブ等の記憶装置を含んで構成される。記憶部３は、この発明の「記憶手段」の一例である。
【００４８】
（様式情報）
様式情報３１は、診断書の様式を表す情報である。なお、診断書の様式とは、診断書の態様、形式、フォーム、スタイルといった意味である。前述のように、診断書には様々な様式のものが存在する。様式情報３１は、これら各種の診断書の様式を表す情報をそれぞれ記憶している。また、各診断書の様式を表す情報には、当該様式の識別情報（様式識別情報）が付されている。様式識別情報は、たとえば診断書の種類や保険会社名など、当該様式を特定する任意の情報を含んでいる。
【００４９】
様式情報は、たとえば、未だ医療情報が記入されていない診断書（診断情報の記入用紙）の画像データを含む。この画像データは、たとえば、未記入の診断書に印刷された画像をスキャナで読み取ることによって得られる。また、医療機関や保険会社によって作成された診断書のテンプレートの画像データを入手することも可能である。診断書の様式の例を図２に示す。
【００５０】
診断書には、各種の記入項目が事前に設定されている。記入項目としては、患者に関する項目、傷病に関する項目、入院や手術や通院に関する項目、診断や検査に関する項目、医師や医療機関に関する項目などがある。
【００５１】
図２に示す診断書においては、患者の氏名、カルテ番号、性別、生年月日、傷病名、傷病発生年月日、傷病の原因、合併症、治療期間（初診日等）、前医の氏名・医療機関名、既往症・持病、診断内容（主訴・初診までの経過・所見・検査結果等）、手術の種類、手術名、手術日、放射線の照射部位・照射期間・総線量・病理組織診断の診断名・診断日、告知時期、診断書を作成した医師に関する情報（医療機関の所在地・名称・電話番号、医師の氏名）などがある。また、医師が押印する欄も設けられている。
【００５２】
診断書には各種の様式があるが、記入項目はほぼ同様である。ただし、記入欄の配置やサイズが異なる場合もある。また、同じ内容であっても項目の名称が異なる場合もある。
【００５３】
様式情報３１は、画像データを含む必要はない。たとえば、診断書の記入項目や、記入欄の配置・サイズに関する情報を記載したテキストデータを様式情報３１として用いることも可能である。なお、後述のように、この実施形態では診断書の画像を呈示することから、テキストデータの場合には画像の態様を再構成する必要があり処理に手間が掛かる。よって、画像データを様式情報３１として用いることが望ましいと考えられる。
【００５４】
診断書には、表裏両面に情報を記入するものもある。たとえば、癌などの特定の疾患の場合にのみ裏面に記入するものなどが用いられている。このような両面タイプの診断書については、表裏両面の様式を表す情報を様式情報３１に含めることが望ましい。また、複数ページに亘る診断書についても同様に、前ページの様式を表す情報を様式情報３１に含めることが望ましい。また、診断書に別の書類を添付する場合や、診断書とともに作成される書類がある場合には、これらの書類の様式を表す情報についても様式情報３１に含めることが望ましい。
【００５５】
（医療情報）
医療情報３２は、診断書に記載される情報を含んでいる。この実施形態では、医療情報３２は、医療情報データベース１０００から取得されて記憶部３に記憶される。医療情報３２は、たとえば患者ＩＤやカルテ番号などの患者識別情報を介して患者毎に保管・管理されている。また、医療情報３２に含まれる各情報には、その情報の種類（属性）を表す情報（前述の属性情報）が付されている。
【００５６】
医療情報３２は、医療情報データベース１０００に保管されている当該患者の電子カルテデータをそのまま取得したものであってもよいし、当該患者の電子カルテデータから所定の情報を選択的に取得したものであってもよい。また、医療情報３２の一部又は全部は、診断書作成支援装置１や他コンピュータを用いて入力されたものであってもよい。また、医療情報３２の一部又は全部は、ＤＶＤ等の記録メディアを介して診断書作成支援装置１に入力されたものであってもよい。
【００５７】
（関連情報）
関連情報３３は、診断書の様式と診断書への記入項目とを関連付ける情報である。関連情報３３としては、たとえば、前述の様式識別情報と記入項目とを関連付けるテーブル情報を用いることができる。
【００５８】
関連情報３３の例を図３に示す。図３に示す関連情報３３には、様式識別情報（様式ＩＤ）として保険会社名などが列挙されている。更に、この関連情報３３においては、各様式識別情報に対して、各種記入項目の記入領域を表す情報が関連付けられている。
【００５９】
たとえば、様式識別情報「保険会社Ａ」に対して、記入項目「患者氏名」の記入領域「（１５０，１２０），（３００，１８０）」が関連付けられている。この例では、記入領域は矩形状とされており、記入領域を表す二つの座標値（１５０，１２０）（３００，１８０）は、当該矩形領域の対角位置の二つの頂点の位置（たとえばピクセル位置）を表している。
【００６０】
なお、記入領域を表す座標値は、任意の座標系によって表現することができる。たとえば、当該座標系として、診断書の左上端を原点とし診断書上に定義された二次元直交座標系を用いることができる。記入領域を表す情報は、上記の態様に限定されるものではなく、任意の形態の情報を用いることが可能である。
【００６１】
図３の関連情報３３においては、記入領域を表す二つの頂点の座標値の各座標毎の差を算出し、これら二つの差を乗算することにより、当該記入領域のサイズ（面積）を求めることができる。このように、関連情報３３は、記入領域のサイズ情報を含んでいてもよい（少なくとも記入領域のサイズが算出可能であれば十分である）。
【００６２】
なお、診断書の様式によって記入項目が異なる場合、つまり、或る診断書には記入され、別の診断書には記入されない項目がある場合、その項目が記入されない診断書の様式識別情報に対応する関連情報３３の欄には、当該記入項目が不要であることを表す情報（たとえば「×」、「−」等）が付される。
【００６３】
〔ユーザインターフェイス〕
ユーザインターフェイス（ｕｓｅｒ  ｉｎｔｅｒｆａｃｅ：ＵＩ）４は、表示部４１と操作部４２を含んで構成される。
【００６４】
表示部４１は、ＬＣＤやＣＲＴディスプレイなどの任意の表示デバイスを含んで構成される。表示部４１は、この発明の「表示手段」の一例である。
【００６５】
操作部４２は、キーボード、マウス、トラックボール、ジョイスティック、専用のコントロールパネルなどの任意の入力デバイスや操作デバイスを含んで構成される。操作部４２は、この発明の「操作手段」の一例である。
【００６６】
なお、表示部４１と操作部４２は、それぞれ個別のデバイスにより構成されている必要はない。たとえば、ユーザインターフェイス４は、タッチパネル型ＬＣＤやペンタブレットなど、表示機能及び操作・入力機能の双方を具備するデバイスを含んでいてもよい。
【００６７】
〔画像生成部〕
この実施形態における診断書作成作業は、後述のように、診断書の様式を表す画像（診断書様式画像）と医療情報３２を並べて表示させ、医療情報３２に含まれる情報を医師が診断書様式画像上にコピー（又は移動）させることにより行われる。画像生成部５は、診断書様式画像と、その上にコピー等された情報とを合成した画像（合成画像）を生成する。合成画像を生成する処理の例を以下に説明する。
【００６８】
第１の例として、様式情報３１が画像データを含む場合の処理例を説明する。この場合、当該画像データに基づく診断書様式画像が表示される。また、医療情報３２に含まれる情報（記入情報）は、画像データとして診断書様式画像上にコピー等されてもよいし、テキストデータとして診断書様式画像上にコピー等されてもよい。
【００６９】
画像データとしてコピー等する場合、たとえば一般的な画像重畳表示処理を適用することにより、診断書様式画像上に記入情報を表示させることができる。画像生成部５は、記入情報が重畳された診断書様式画像中の領域を当該記入情報に置き換えることにより、合成画像を生成することができる。
【００７０】
なお、記入情報が文字列情報である場合などにおいて、記入情報の背景領域（文字以外の領域）は透明であってもよいし、所定色（たとえば診断書様式画像の白地部分と同色）で塗り潰されていてもよい。前者は、たとえば図２に示す項目「治療期間」の記入領域のように、予め記入領域に文字列等が記載されており、それに重ねて記入情報を重畳する場合などに用いられる。一方、後者は、任意の場合に用いることが可能である。
【００７１】
テキストデータとしてコピー等する場合、たとえば診断書様式画像上に透明なレイヤを表示させ、このレイヤ上にテキストデータを表示させることにより、診断書様式画像上に記入情報を表示させることができる。画像生成部５は、透明なレイヤ上の各テキストデータを画像データに変換するとともに、透明なレイヤ上における各テキストデータの位置情報（診断書様式画像を表示するレイヤとの相対的な表示位置を固定した状態における位置）を取得する。更に、画像生成部５は、変換後の各画像データを位置情報に基づいて診断書様式画像中に埋め込むことにより合成画像を生成することもできる。
【００７２】
また、記入情報を構成するテキストデータに基づいて、このテキストデータが入力されたテキストボックスを生成し、このテキストボックスを診断書様式画像上に表示させるように構成することも可能である。画像生成部５は、診断書様式画像中におけるテキストボックスの位置情報を取得する。更に、画像生成部５は、テキストボックスに記載されたテキストデータを画像データに変換し、この画像データを位置情報に基づいて診断書様式画像中に埋め込むことにより合成画像を生成することもできる。
【００７３】
第２の例として、様式情報３１がテキストデータを含む場合の処理例を説明する。この場合、当該テキストデータを基に画像データを生成して診断書様式画像を表示させることもできるし、所定のワープロソフト（ｗｏｒｄ  ｐｒｏｃｅｓｓｏｒ  ｓｏｆｔｗａｒｅ）等によってテキストデータを表示することにより診断書様式画像を呈示させることもできる（つまり、各テキストデータの内容と位置情報とに基づいて診断書様式画像が生成され表示される）。前者の場合には、第１の例と同様にして合成画像を生成することができる。
【００７４】
一方、後者の場合には、ワープロソフト等によりテキストデータとして表示された診断書様式画像上に、画像データ又はテキストデータからなる記入情報がコピー等される。
【００７５】
記入情報が画像データである場合、当該画像データを解析して文字や記号を認識し、その認識結果に対応する文字等のテキストデータを診断書様式画像（テキストデータ）に入力することにより、テキストデータからなる合成画像を生成することができる。また、テキストデータからなる診断書様式画像を画像データに変換し、記入情報の画像データを診断書様式画像の画像データに合成することにより合成画像を生成することもできる。
【００７６】
逆に、記入情報がテキストデータである場合、当該テキストデータを診断書様式画像（テキストデータ）に入力することにより、テキストデータからなる合成画像を生成することができる。また、テキストデータからなる診断書様式画像及び記入情報をそれぞれ画像データに変換し、記入情報の画像データを診断書様式画像の画像データに合成することにより合成画像を生成することもできる。
【００７７】
（文字列変換部）
画像生成部５には文字列変換部５１が設けられている。文字列変換部５１は、記入領域のサイズ情報が関連情報３３に含まれている場合に動作する。文字列変換部５１は、記入領域のサイズ情報と、当該記入領域に記入される文字列情報とに基づいて、この文字列情報全体が当該記入領域内に呈示されるように文字列情報を変換する。文字列変換部５１は、この発明の「変換手段」の一例である。
【００７８】
文字列変換部５１が実行する処理についてより詳しく説明する。前述のように（たとえば図３を参照）、各記入領域のサイズには制限がある。したがって、各記入領域に記入される文字列情報の態様（文字数、行数、列数など）によっては、そのままでは全体が記入領域内に収まらないおそれがある。文字列変換部５１は、記入領域のサイズと文字列情報の態様とに基づいて、文字列情報の画像サイズや文字サイズ（フォントサイズ）や改行の態様に変換を施すことにより、記入領域に文字列情報全体が収まるようにする。
【００７９】
具体例として、文字列変換部５１は、まず、現在の文字サイズや改行態様のままで、文字列情報全体が記入領域に収まるか否か判断する。この判断は、診断書様式画像と文字列情報の双方が画像データである場合には、当該画像データの大きさと記入領域の大きさとを単純に比較することにより行うことができる。また、診断書様式画像が画像データであり、文字列情報がテキストデータである場合、この判断は、文字列情報をテキストデータに変換し、その文字列の文字数や行数と記入領域内に記入可能な文字数や行数とを比較してもよいし、或いは、テキストデータのコピー領域の大きさと記入領域の大きさとを単純に比較することにより行うことができる。また、診断書様式画像がテキストデータである場合についても同様に、双方のデータ形式を一致させて大きさを比較するなどすることにより、この判断を行うことができる。
【００８０】
文字列情報全体が記入領域に収まると判断された場合には、文字列情報がそのまま記入領域に重畳表示される。一方、文字列情報全体が記入領域に収まらないと判断された場合、文字列変換部５１は、文字列情報全体が記入領域に収まるように、文字列情報の画像サイズ、フォントサイズ、改行態様等を変換する。この場合、画像生成部５は、変換処理後の文字列情報と診断書様式画像とを合成して合成画像を生成する。
【００８１】
以上のような画像生成部５は、マイクロプロセッサ、ＲＡＭ、ＲＯＭ、ハードディスクドライブ等を含んで構成される。画像生成部５は、この発明の「生成手段」の一例である。
【００８２】
〔スキャナ〕
スキャナ６は、紙等に形成された画像（文字列情報等を含む）を、たとえば光学的に読み取る装置である。特に、スキャナ６は、未記入の診断書に印刷された画像を読み取るために使用される。スキャナ６は、この発明の「読取手段」の一例である。
【００８３】
また、スキャナ６は、ＯＣＲ装置（ｏｐｔｉｃａｌ  ｃｈａｒａｃｔｅｒ  ｒｅａｄｅｒ）を含んでいてもよい。ＯＣＲ装置は、紙等に形成された文字を光学的に読み取り、事前に記憶されたパターンと照合して文字を特定する装置である。なお、診断書作成支援装置１（制御部２）は、スキャナ６により紙等から読み取った画像を解析して文字を特定するＯＣＲソフトウェアを搭載していてもよい。このように、診断書に印刷された文字列情報を読み取る構成は、この発明の「文字列読取手段」の一例に相当する。
【００８４】
〔情報更新部〕
情報更新部７は、スキャナ６により診断書に印刷された情報の読み取りを行う場合に動作する。まず、情報更新部７は、当該診断書の様式と様式情報３１に示す様式とが一致するか否か判断する。この判断は、たとえば次のように行うことができる。
【００８５】
まず、診断書に保険会社名等の様式識別情報が印刷されている場合、情報更新部７は、スキャナ６で読み取られた画像を解析して文字列を特定し、特定された文字列と様式情報３１に記録されている様式識別情報とを照合することにより、情報が読み取られた診断書と同じ様式の情報が様式情報３１に含まれているか判断する。なお、診断書から保険会社名を読み取る代わりに、オペレータが様式識別情報を入力するなどしてもよい。また、様式情報３１に含まれている診断書の様式の様式識別情報を一覧表示させ、情報が読み取られる診断書の様式と同じものをオペレータが選択するようにしてもよい。
【００８６】
次に、情報更新部７は、様式情報３１から特定された情報に示す様式と、スキャナ６により得られた情報に示す様式とを比較する。この比較処理は、たとえば、任意の画像解析技術を用いて行うことが可能である。また、双方の様式に含まれる文字列や記入領域の枠の位置などを比較するようにしてもよい。
【００８７】
双方の様式が一致すると判断された場合、情報更新部７は、今回スキャナ６で読み取られた情報に基づいて、既に様式情報３１に含まれている情報を更新する。この更新処理は、過去の情報を削除して新たな情報を記録させる処理であってもよいし、過去の情報と新たな情報との差分を求め、この差分を置き換える処理であってもよい。また、過去の情報を記憶部３等の記憶装置に保管しておくようにしてもよい（更新履歴を作成するなどしてもよい）。情報更新部７は、この発明の「更新手段」の一例に相当する。
【００８８】
〔画像出力部〕
画像出力部８は、画像生成部５により生成された合成画像を出力する。その出力態様としては、印刷、送信、記録などのうちの少なくともいずれかを適用することが可能である。合成画像を印刷する場合、画像出力部８はプリンタを含んで構成される。合成画像を他の装置に送信する場合、画像出力部８は通信部９と一体に構成される。合成画像を記録メディアに記録する場合、画像出力部８はドライブ装置を含んで構成される。
【００８９】
合成画像中における記入情報の位置情報、つまり診断書様式画像との重畳表示状態における記入情報の位置情報）を画像生成部５が取得可能である場合、記入情報と位置情報とに基づいて所定の出力結果を得るように画像出力部８を構成することが可能である。所定の出力結果を得るための出力態様としては、たとえば印刷、送信、記録などのうちの少なくともいずれかを適用することが可能である。
【００９０】
このような画像出力部８によれば、未記入の診断書（所定様式の記入用紙）に記入情報のみを印刷することができる。それにより、たとえば、患者が持参した記入用紙自体に情報を印刷して診断書を作成することが可能になる。また、未記入の診断書のデータとともに記入情報を送信したり、メディアに記録したりすることも可能である。
【００９１】
〔制御部の詳細〕
以下、制御部２の詳細について説明する。制御部２は、前述のように、特定処理部２１、検索処理部２２及び表示制御部２３が設けられている。
【００９２】
（特定処理部）
特定処理部２１は、作成対象となる診断書の様式が指定されたときに、この様式の診断書への記入項目を関連情報３３に基づいて特定する。この処理は、指定された様式の診断書の様式識別情報に対応する記入項目を関連情報３３に基づいて選択することにより行うことが可能である。特定処理部２１は、記入項目の特定結果を検索処理部２２に送る。特定処理部２１は、この発明の「特定手段」の一例である。
【００９３】
（検索処理部）
検索処理部２２は、特定処理部２１により特定された記入項目に該当する情報を医療情報３２から検索する。この処理は、特定された記入項目と、医療情報３２に含まれる各情報に付された属性情報（前述）とを照合することにより行うことが可能である。
【００９４】
ここで、関連情報３３中の記入項目として用いる文字列と、属性情報として用いる文字列とを予め一致させておいてもよいし、これら文字列を対応付ける情報（テーブル情報等）を予め作成しておいてもよい。検索処理部２２は、医療情報３２から検索された情報を表示制御部２３に送る。検索処理部２２は、この発明の「検索手段」の一例である。
【００９５】
（表示制御部）
表示制御部２３は、表示部４１を制御して各種の情報や画面を表示させる。特に、表示制御部２３は、検索処理部２２から送られる情報や、様式情報３１に基づく診断書様式画像などを表示部４１に表示させる。また、表示制御部２３は、表示部４１による情報や画面の表示態様を制御する。
【００９６】
［動作］
診断書作成支援装置１の動作について説明する。以下、診断書作成支援装置１の第１〜第４の動作例を順次に説明する。
【００９７】
〔第１の動作例〕
第１の動作例では、医師が手作業で診断書を作成する場合における診断書作成支援装置１の動作を説明する。図４は、この場合における診断書作成支援装置１の動作の一例を表す。
【００９８】
まず、医師は、操作部４２を操作して、患者と診断書の様式とを指定する（Ｓ１）。この操作は、たとえば、キーボードを用いて患者識別情報や様式識別情報を入力したり、マウスを用いて患者識別情報や様式識別情報を選択したりすることにより行うことができる。
【００９９】
また、診断書作成支援装置１にカードリーダ等の読取装置が設けられ、かつ、患者毎にＩＤカードが配布されている場合などには、患者のＩＤカードに記録された患者識別情報を読み取ることにより患者を指定することが可能である。
【０１００】
また、未記入の診断書に識別情報（バーコードやＱＲコード等）が付され、かつ、診断書作成支援装置１にバーコードリーダ等の読取装置が設けられている場合などには、診断書に付された識別情報を読み取ることにより様式を指定することが可能である。
【０１０１】
操作部４２や読取装置は、この発明の「指定手段」の一例である。なお、指定手段は、上記のものには限定されず、患者や診断書の様式を指定するために使用可能なものであればその構成は問わない。
【０１０２】
患者と診断書の様式とが指定されると、制御部２は、通信部９を制御し、医療情報データベース１０００に患者識別情報を送信する。医療情報データベース１０００は、この患者識別情報に関連付けられた情報（電子カルテ情報等）を検索し、診断書作成支援装置１に送信する。制御部２は、医療情報データベース１０００から取得した情報を医療情報３２として記憶部３に記憶させる（Ｓ２）。
【０１０３】
このとき、当該患者識別情報に関連付けられた全ての情報を取得するように構成してもよいし、診断書の様式に対応する情報のみを選択的に取得するように構成してもよい。後者の場合、制御部２は、入力された様式識別情報と関連情報３３に基づいて、当該診断書に記入される情報の種類を特定し、特定された種類を表す情報（前述の属性情報）を患者識別情報とともに医療情報データベース１０００に送信する。また、後者の場合、患者識別情報とともに関連情報３３自体を医療情報データベース１０００に送信するようにしてもよい。医療情報データベース１０００は、患者識別情報とともに送られてきた情報に基づいて必要な情報のみを検索して診断書作成支援装置１に送信する。以下、前者の場合について説明する。
【０１０４】
特定処理部２１は、ステップ１で指定された様式（様式識別情報）の診断書への記入項目を関連情報３３に基づいて特定する（Ｓ３）。検索処理部２２は、特定された記入項目に該当する情報を当該患者の医療情報３２から検索する（Ｓ４）。なお、ステップ２の後者の場合、ステップ３、４は省略される。
【０１０５】
制御部２は、ステップ１で指定された診断書の様式を表す情報を様式情報３１から選択する（Ｓ５）。表示制御部２３は、様式情報３１（から選択された情報）に基づく診断書様式画像と、ステップ４で検索された情報とを並べて表示部４１に表示させる（Ｓ６）。
【０１０６】
このときの表示態様の例を図５に示す。この表示態様では、診断書作成画面１００が表示部４１に表示される。診断書作成画面１００には、メニューバー１０１やツールバー１０２とともに、医療情報表示領域１０３と様式画像表示領域１０４が設けられている。医療情報表示領域１０３と様式画像表示領域１０４は、互いに並んで表示される。なお、これら表示領域１０３、１０４は、横方向に並んで表示される必要はなく、任意の方向に並んで表示されればよい。また、これら表示領域１０３、１０４は、互いに隣接している必要はなく、任意の表示オブジェクトを間に挟んでいてもよい。
【０１０７】
メニューバー１０１には、各種の操作メニューを表すソフトウェアキーが呈示される。操作メニューは、たとえばプルダウンメニュー形式やボタン形式で呈示される。ツールバー１０２には、各種の操作ツールを表すソフトウェアキーが呈示される。操作ツールは、たとえばメニューバー１０１の操作メニューのうちから比較的使用頻度の高いものが選択される。操作ツールは、たとえばプルダウンメニュー形式やボタン形式で呈示される。
【０１０８】
操作メニューや操作ツールのソフトウェアキーとしては、一般的なワープロソフトと同様に、印刷キー、印刷プレビューキー、保存キー、メディア記録キー、コピーキー、貼付キー、フォントキーなどが設けられている。なお、印刷キー、保存キー、メディア記録キー等については、それぞれ、診断書様式画像と医療情報の双方をまとめて処理するためのキーと、医療情報のみを処理するためのキーとを別々に設けることができる。
【０１０９】
医療情報表示領域１０３には、検索処理部２２により検索された情報（検索情報）１０３ａが表示される。図５の表示態様では、検索情報１０３ａとして、患者ステータス、傷病、手術、カルテ等に関する情報が表示される。患者ステータスの欄には、患者ＩＤ、患者氏名（カナ氏名、漢字氏名）、性別、生年月日など、患者に関する情報が呈示される。傷病の欄には、傷病名、傷病発生日、治療開始日、治療終了日、既往症など、傷病に関する情報が呈示される。手術の欄には、手術名、手術日など、手術に関する情報が呈示される。カルテの欄には、主訴、所見、検査データ、検査画像など、カルテに記載された情報（上記の欄に記載されたもの以外）が呈示される。
【０１１０】
更に、医療情報表示領域１０３には、フリー入力欄１０３ｂと記号入力欄１０３ｃとが設けられている。医師は、キーボード等を用いて、フリー入力欄１０３ｂの括弧[]内に自由に情報（文字列情報等）を入力することができる。記号入力欄１０３ｃには、○、×、＝など、各種の記号が呈示される。呈示される記号の指定は、たとえば、メニューバー１０１やツールバー１０２を用いて行うこともできるし、ＩＮＩファイルに記録される設定を変更することにより行うこともできる。
【０１１１】
様式画像表示領域１０４には、ステップ５で様式情報３１から選択された情報に基づく診断書様式画像１１０が表示される。
【０１１２】
医師は、操作部４２を操作して、医療情報表示領域１０３に表示された情報と、診断書様式画像１１０中の記入領域とを指定する（Ｓ７）。
【０１１３】
ステップ７の操作は、たとえば、マウスを用いて、医療情報表示領域１０３に表示された情報を診断書様式画像１１０上にドラッグアンドドロップすることにより行う。また、医療情報表示領域１０３に表示された情報をクリックし、診断書様式画像１１０中の記入領域をダブルクリックすることにより、ステップ７の操作を行うことも可能である。
【０１１４】
文字列変換部５１は、必要に応じ、指定された記入領域のサイズ情報と、指定された情報（文字列情報）とに基づいて、この文字列情報全体が当該記入領域内に呈示されるように、この文字列情報のフォントサイズや改行態様を変換する（Ｓ８）。なお、複数の記入領域に文字列情報を記入する場合、複数の記入情報のフォントサイズを同じにしてもよいし、各記入領域毎にフォントサイズを個別に調整するようにしてもよい。
【０１１５】
表示制御部２３は、ステップ７で指定された情報を、同じく指定された記入領域に重ねて表示させる（Ｓ９）。なお、ステップ８で文字列情報を変換した場合、表示制御部２３は、変換後の文字列情報を記入領域に重ねて表示させる。また、ステップ９において、画像生成部５が、記入情報と診断書様式画像１１０との合成画像を形成するようにしてもよい。ここで、合成画像は、記入情報を診断書様式画像１１０上に重畳表示して得られる画像のほか、記入情報を診断書様式画像１１０中に埋め込んで得られる画像などであってもよい。
【０１１６】
ステップ７〜ステップ９の処理の例を説明する。患者漢字氏名の欄の文字列「トプコン太郎」が診断書様式画像１１０の氏名記入領域１１１にドラッグアンドドロップされた場合、表示制御部２３は、この文字列「トプコン太郎」１１１ａを氏名記入領域１１１に重畳表示させる。このときの表示態様の例を図６に示す。
【０１１７】
なお、ステップ７〜ステップ９で実行する処理は、これに限定されるものではない。この処理は、医療情報表示領域１０３に表示された情報が指定され、かつ、診断書様式画像１１０中の領域が指定されたときに、当該情報を当該指定領域に重ねて表示させるように作用する任意の処理を適用することが可能である。
【０１１８】
医師は、当該診断書に記入すべき全ての情報を上記の要領で診断書様式画像１１０上に貼り付ける。このときの表示態様の例を図７に示す。
【０１１９】
必要な情報を診断書様式画像１１０上に貼り付けたら、医師は、操作部４２を用いて、前述の印刷プレビューキーを操作する（Ｓ１０）。表示制御部２３は、各種情報が貼り付けられた診断書様式画像１１０の印刷プレビュー画像を表示部４１に表示させる（Ｓ１１）。この処理は、たとえば、一般的なワープロソフトや表計算ソフトと同様に実行される。
【０１２０】
医師は、この印刷プレビュー画像を見て、記入漏れや誤記入を確認するとともに、情報の貼り付け位置の確認などを行う（Ｓ１２）。医師は、必要に応じ、所定のキーを操作して診断書作成画面１００を再表示させ、記入内容の訂正、貼り付け位置の調整、フォントサイズや改行態様の調整などを行うことができる（Ｓ１２：Ｎｏ、Ｓ１３）。
【０１２１】
医師は、前述の印刷キー、保存キー、メディア記録キー等を操作し、各種情報が貼り付けられた診断書様式画像１１０（合成画像）を出力させる（Ｓ１４）。
【０１２２】
印刷キーが操作された場合、画像生成部５は、貼り付けられた情報と診断書様式画像との合成画像を生成し、制御部２は、画像出力部８（プリンタ）を制御して、この合成画像を印刷させる。また、保存キーが操作された場合、制御部２は、同様に生成された合成画像を記憶部３や医療情報データベース１０００に記憶させる。また、メディア記録キーが操作された場合、制御部２は、画像出力部８（ドライブ装置）を制御し、同様に生成された合成画像を記録メディアに記録させる。
【０１２３】
なお、メニューバー１０１等に送信キーが設けられている場合、診断書作成支援装置１は、通信回線を介して他の装置に合成画像を送信することが可能である。一例として、ＬＡＮを介して当該医療機関内の他の装置に合成画像を送信することが可能である。また、ＷＡＮを介して当該医療機関の外の装置（たとえば保険会社に設置されたコンピュータ）に合成画像を送信することが可能である。
【０１２４】
また、ステップ１４において、合成画像は、複数のデータから構成されるものでもよいし、単一のデータから構成されるものであってもよい。後者の場合、上記の印刷プレビュー画像を出力することのみ可能である。
【０１２５】
一方、前者の例としては、診断書様式画像と、それに貼り付けられた情報とを別々のデータとして構成した合成画像がある。これらのデータは、それぞれ個別のファイルとして構成される。このような合成画像を出力する場合、複数のデータをまとめて出力することもできるし、各データを個別に出力することもできる。双方のデータをまとめて印刷する場合、たとえば、画像出力部８（プリンタ）は、前述の印刷プレビュー画像を白紙の印刷用紙上に形成する。また、患者が持参した記入用紙自体に印刷する場合などには、画像出力部８（プリンタ）は、診断書様式画像に貼り付けられた情報のみを当該記入用紙上に形成する。この場合、診断書様式画像に対する情報の貼り付け位置を表す位置情報（前述）に基づいて情報の出力位置（印刷位置等）を決定することが可能である。以上で、第１の動作例の説明を終了する。
【０１２６】
〔第２の動作例〕
第２の動作例では、医療情報が記入される前の診断書をスキャナ６で読み取り、その表示画像を用いて診断書を作成する場合の動作を説明する。図８は、この場合における診断書作成支援装置１の動作の一例を表す。
【０１２７】
医療情報が記入される前の診断書は、たとえば図２に示すような態様、すなわち、紙面に記入項目や記入欄が予め印刷された用紙である（単に「記入用紙」と呼ぶことがある。）。このような記入用紙は、一般に患者が医療機関に持参する場合が多い。
【０１２８】
まず、制御部２は、診断書の様式を登録するための所定の登録画面を表示部４１に表示させる（Ｓ２１）。
【０１２９】
オペレータは、記入用紙をスキャナ６にセットし、紙面に印刷された情報を読み取らせる（Ｓ２２）。このとき、両面に情報が印刷されている場合には、両面の情報を読み取ることが望ましい。記入用紙から読み取られた情報の画像データは、制御部２に入力される。
【０１３０】
制御部２は、スキャナ６から入力された画像データに基づく画像、つまり当該記入用紙の紙面を表す画像を登録画面上に表示させる（Ｓ２３）。
【０１３１】
登録画面上には、様式識別情報を入力するための入力スペース、或いは、様式識別情報を選択可能に呈示する呈示部が設けられている。この呈示部は、たとえばプルダウンメニューやチェックボックス等を含んで構成される。オペレータは、操作部４２を操作して、登録画面に様式識別情報を入力又は指定する（Ｓ２４）。なお、記入用紙の紙面に様式識別情報（バーコード等）が付されている場合には、この様式識別情報を読み取るようにしてもよい。
【０１３２】
制御部２は、ステップ２２で得られた画像データとステップ２４で入力等された様式識別情報とを関連付ける（Ｓ２５）。更に、制御部２は、この画像データを当該様式に対応する様式情報３１として記憶部３に記憶させる（Ｓ２６）。
【０１３３】
医師は、所定の操作を行って、診断書の作成作業を開始する（Ｓ２７）。このとき、患者識別情報の入力がなされる（Ｓ２８）。制御部２は、ステップ２６で記憶された様式情報３１に基づく診断書様式画像を表示部４１に表示させる（Ｓ２９）。この診断書様式画像は、たとえば第１の動作例と同様の診断書作成画面１００に表示される。
【０１３４】
また、制御部２は、第１の動作例と同様に、当該患者の医療情報を診断書作成画面１００に表示させる（Ｓ３０）。ここで、当該様式の診断書への記入項目が関連情報３３に記録されていない場合には、当該患者の医療情報を全て表示させてもよいし、関連情報３３の他の様式の記入項目を参照して医療情報を絞り込んでから表示させてもよい。
【０１３５】
医師は、第１の動作例と同様にして、必要な情報を診断書様式画像上に貼り付ける（Ｓ３１）。医師は、必要に応じて、貼り付け位置の調整などを行う。画像出力部８（プリンタ）は、制御部２の制御を受け、ステップ３１で貼り付けられた情報を当該記入用紙に印刷する（Ｓ３２）。
【０１３６】
〔第３の動作例〕
第３の動作例では、様式情報３１を自動的に更新する動作について説明する。まず、様式情報３１の自動更新の利点を説明する。たとえば保険会社に提出する診断書は、法改正等の理由により数年毎（２年毎など）に様式が変更されるのが一般的である。このような様式の変更に合わせて様式情報３１を自動更新することにより、過去の様式の診断書を作成してしまう事態を回避することが可能になる。なお、保険会社等のサーバに最新の診断書様式画像を格納しておき、これを配信することによって様式情報３１を自動更新するなどの方法も考えられる。
【０１３７】
図９は、様式情報３１の自動更新動作の一例を表す。まず、制御部２は、診断書作成用の記入用紙の読み取りを行うための所定の読取画面を表示部４１に表示させる（Ｓ４１）。
【０１３８】
オペレータは、記入用紙をスキャナ６にセットし、紙面に印刷された情報を読み取らせる（Ｓ４２）。両面に情報が印刷されている場合には、両面の情報を読み取ることが望ましい。記入用紙から読み取られた情報の画像データは、制御部２に入力される。
【０１３９】
制御部２は、スキャナ６から入力された画像データに基づく画像、つまり当該記入用紙の紙面を表す画像を読取画面上に表示させる（Ｓ４３）。
【０１４０】
読取画面上には、第２の動作例の登録画面と同様の入力スペースや呈示部が設けられている。オペレータは、操作部４２を操作して、読取画面に様式識別情報を入力又は指定する（Ｓ４４）。なお、記入用紙の紙面に付された様式識別情報を読み取るように構成することも可能である。
【０１４１】
次に、情報更新部７は、入力等された様式識別情報に対応する情報を様式情報３１から選択する（Ｓ４５）。更に、情報更新部７は、スキャナ６により得られた画像データに示す様式と、様式情報３１から選択された情報に示す様式とを比較する（Ｓ４６）。
【０１４２】
双方の様式が一致しないと判断された場合（Ｓ４６：不一致）、情報更新部７は、スキャナ６により得られた画像データと当該様式識別情報とを関連付け（Ｓ４７）、この画像データを当該様式識別情報に対応する様式情報３１として記憶部３に記憶させる（Ｓ４８）。それにより、この新たな画像データにより様式情報３１が更新される。
【０１４３】
一方、双方の様式が一致すると判断された場合には、様式情報３１の更新を行わずに処理を終了する（Ｓ４６：一致）。
【０１４４】
〔第４の動作例〕
第４の動作例では、診断書作成用の記入用紙に印刷された文字列情報を読み取り、この文字列情報に基づいて医療情報を表示する動作について説明する。この動作例によれば、当該記入用紙に関する情報が関連情報３３に含まれていない場合であっても、その記入項目に合わせた医療情報を呈示することが可能になる。
【０１４５】
この動作例に係る診断書作成支援装置１には、診断書に印刷された文字列情報を読み取る「文字列読取手段」が設けられる。以下の説明では、制御部２にＯＣＲソフトウェアが設けられているものとする。
【０１４６】
図１０は、記入用紙に印刷された文字列情報に基づいて医療情報を表示する動作の一例を表す。まず、オペレータは、操作部４２を操作して患者識別情報を入力する（Ｓ６１）。
【０１４７】
オペレータは、記入用紙をスキャナ６にセットし、紙面に印刷された情報を読み取らせる（Ｓ６２）。両面に情報が印刷されている場合には、両面の情報を読み取ることが望ましい。記入用紙から読み取られた情報の画像データは、制御部２に入力される。
【０１４８】
制御部２は、ＯＣＲソフトウェアを使用して、スキャナ６から入力された画像データに基づく画像、つまり当該記入用紙の紙面を表す画像から文字列情報を読み取る（Ｓ６３）。たとえば図２に示す様式の記入用紙の画像からは、「氏名」、「傷病名」、「原因」、「合併症」、「治療期間」などの文字列情報が読み取られる。
【０１４９】
次に、特定処理部２１は、読み取られた文字列情報を解析し、この記入用紙への記入項目を特定する（Ｓ６４）。この処理は、たとえば、読み取られた各文字列情報と、情報の属性を表す属性情報の辞書データ（予め記憶されている）とを照合することにより行うことができる。なお、ステップＳ６３において、属性情報に対応する文字列情報のみを選択的に読み取ることによって記入項目を特定するようにしてもよい。
【０１５０】
続いて、検索処理部２２は、ステップ６１で入力された患者識別情報に関連付けられた情報、つまり当該患者に関する情報を医療情報３２から検索し（Ｓ６５）、更に、検索された当該患者に関する情報から、ステップ６４で特定された記入項目に該当する情報を検索する（Ｓ６６）。
【０１５１】
表示制御部２３は、ステップ６６で検索された情報と、ステップ６２で得られた画像データに基づく診断書様式画像とを並べて表示部４１に表示させる（Ｓ６７）。このときの表示態様は、図５の診断書作成画面１００と同様である。
【０１５２】
医師は、操作部４２を操作して、表示された情報を診断書様式画像に貼り付けて診断書を作成する（Ｓ６８）。
【０１５３】
［作用・効果］
この実施形態に係る診断書作成支援装置１の作用と効果について説明する。
【０１５４】
診断書作成支援装置１は、診断書の様式を表す様式情報３１と、診断書に記入される情報を含む患者毎の医療情報３２とを予め記憶している。患者が指定されると、診断書作成支援装置１は、指定された患者の医療情報３２と、様式情報３１に基づく診断書様式画像１１０とを並べて表示する。オペレータが、表示された医療情報３２に含まれる情報と診断書様式画像１１０中の領域とを指定すると、診断書作成支援装置１は、指定された情報を診断書様式画像１１０中の指定領域に合成して合成画像を生成する。
【０１５５】
このように作用する診断書作成支援装置１によれば、表示された医療情報を診断書様式画像１１０に貼り付けるだけの簡単な作業により診断書を作成することができるので、従来のようにキーボード等を用いて情報を手入力する必要がない。
【０１５６】
また、診断書作成支援装置１によれば、診断書作成作業の具体的方法を提供することができる。すなわち、表示された医療情報を診断書様式画像１１０に貼り付けるという方法である。この方法によれば、少なくとも従来のキーボード入力に比べて煩雑さが低減し、作業効率が向上する。特に、キーボードの操作に不慣れな医師であっても、マウス等を用いて容易に診断書を作成できる。
【０１５７】
また、診断書作成支援装置１によれば、当該装置のみの構成によって、医師自身が診断書の記入内容を修正したり追加したりすることが可能である。それにより、特許文献１のシステムとは異なり、迅速かつ容易に記入内容の確認や加筆を行える。
【０１５８】
また、診断書作成支援装置１は、診断書の様式と診断書への記入項目とを関連付ける関連情報３３を予め記憶し、指定された様式の診断書への記入項目を関連情報３３に基づいて特定し、特定された記入項目に該当する情報を当該患者の医療情報３２から検索し、検索された情報のみを診断書様式画像１１０とともに表示するように作用する。
【０１５９】
それにより、診断書の作成に必要な情報のみを表示することができ、診断書作成作業の効率化を図ることが可能になる。
【０１６０】
また、診断書作成支援装置１は、診断書の様式と診断書への各記入項目の記入領域のサイズ情報とを関連付ける関連情報３３を予め記憶している。更に、診断書作成支援装置１は、表示された文字列情報が指定されたときに、診断書様式画像中の指定領域に対応する記入領域のサイズ情報と、当該文字列情報とに基づいて、当該文字列情報全体が当該記入領域内に呈示されるように当該文字列情報を変換し、変換された文字列情報と診断書様式画像１１０とから合成画像を生成するように作用する。
【０１６１】
それにより、長文からなる文字列情報であっても、その全体を診断書に記入できるとともに、診断書に記入される文字列情報の体裁（フォントサイズ、改行態様など）を整えることも可能になる。
【０１６２】
また、診断書作成支援装置１は、医療情報が記入される前の診断書に印刷された情報スキャナ６で読み取り、読み取られた情報を様式情報３１として記憶し、読み取られた情報に基づく画像を診断書様式画像１１０として表示するように作用する。
【０１６３】
それにより、様式情報３１として蓄積されていない様式の診断書であっても作成することが可能になる。
【０１６４】
また、診断書作成支援装置１は、スキャナ６により情報が読み取られた診断書の様式と、様式情報３１に示す様式とが一致するか否か判断し、一致しないと判断された場合には、スキャナ６で読み取られた情報に基づいて様式情報３１を更新するように作用する。
【０１６５】
それにより、診断書の様式変更に好適に対処することができ、過去の様式の診断書を作成してしまうような事態を回避することが可能になる。
【０１６６】
また、診断書作成支援装置１は、診断書に印刷された文字列情報を読み取り、この文字列情報を解析して当該診断書への記入項目を特定し、特定された記入項目に該当する情報を当該患者の医療情報３２から検索し、検索された情報のみを診断書様式画像１１０とともに表示するように作用する。
【０１６７】
それにより、診断書への記入項目に関する情報が事前に得られていない場合であっても、その記入項目に合わせた医療情報を選択的に呈示することができ、迅速かつ容易に診断書を作成することができる。
【０１６８】
また、診断書作成支援装置１は、診断書様式画像に情報を合成した合成画像を出力することができる。その出力態様としては、印刷、送信、メディア記録などがある。
【０１６９】
また、診断書作成支援装置１は、合成画像中における情報の位置情報を取得し、当該情報と当該位置情報に基づいて所定の出力結果を得ることが可能に構成されている。この出力態様としては、印刷、送信、メディア記録などがある。このような情報出力を可能とすることにより、患者が持参した記入用紙などの特定の用紙に情報を印刷することができる。
【０１７０】
合成画像を出力するときや所定の出力結果を得るときに、電子署名や電子印鑑などの各種電子的情報を付加することも可能である。
【０１７１】
以上に説明したように、この実施形態に係る診断書作成支援装置１によれば、診断書の作成作業に掛かる負担を効果的に軽減することが可能である。
【０１７２】
〈第２の実施形態〉
第２の実施形態に係る診断書作成支援装置について説明する。前述のように、この診断書作成支援装置は、診断書への情報入力を全自動で行うものである。以下、第１の実施形態と同様の構成部位については同じ符号を用いて説明する。
【０１７３】
この実施形態に係る診断書作成支援装置は、第１の実施形態と同様の構成を有する（図１を参照）。特に、この実施形態に係る診断書作成支援装置は、制御部２、記憶部３、ユーザインターフェイス４及び画像生成部５を具備する。
【０１７４】
記憶部３には、様式情報３１、医療情報３２及び関連情報３３が予め記憶される。様式情報３１は、診断書の様式を表す情報である。医療情報３２は、患者毎に保管・管理され、診断書に記入される情報を含んでいる。関連情報３３は、診断書の様式に対して、診断書への記入項目と、当該記入項目の情報の記入領域とを関連付ける。すなわち、関連情報３３は、診断書の様式に対して、その診断書に記入される情報の種類（属性）と、各属性の情報の診断書への記入位置とを関連付けるものである。
【０１７５】
制御部２には、第１の実施形態と同様に、特定処理部２１、検索処理部２２及び表示制御部２３が設けられている。表示制御部２３は、この発明の「表示制御手段」の一例である。ユーザインターフェイス４には、表示部４１と操作部４２が設けられている。
【０１７６】
この実施形態に係る診断書作成支援装置の動作例について、図１１を参照しつつ説明する。
【０１７７】
まず、医師は、操作部４２を操作して、患者と診断書の様式とを指定する（Ｓ８１）。制御部２は、通信部９を制御し、医療情報データベース１０００に患者識別情報を送信する。医療情報データベース１０００は、この患者識別情報に関連付けられた情報（電子カルテ情報等）を検索し、診断書作成支援装置１に送信する。制御部２は、医療情報データベース１０００から取得した情報を医療情報３２として記憶部３に記憶させる（Ｓ８２）。
【０１７８】
特定処理部２１は、ステップ８１で指定された様式（様式識別情報）の診断書への記入項目を関連情報３３に基づいて特定する（Ｓ８３）。検索処理部２２は、特定された記入項目に該当する情報を当該患者の医療情報３２から検索する（Ｓ８４）。
【０１７９】
制御部２は、ステップ８１で指定された様式を表す情報を様式情報３１から選択する（Ｓ８５）。
【０１８０】
画像生成部５は、関連情報３３に基づいて、様式情報３１から選択された情報に基づく診断書様式画像に対する、ステップ８４で検索された情報の記入領域を特定する（Ｓ８６）。関連情報３３は、診断書の様式に対して記入項目及び記入領域を関連付けているので、ステップ８６の処理は、関連情報３３を参照することにより容易に実行できる。
【０１８１】
更に、画像生成部５は、ステップ８６の特定結果に基づいて、ステップ８４で検索された情報を診断書様式画像に合成して合成画像を生成する（Ｓ８７）。ここで、各記入項目の情報は、対応する記入領域に合成される。このとき、第１の実施形態と同様に、文字列情報のフォントサイズや改行態様を変換してから合成してもよい。画像の合成処理は、診断書様式画像上に情報を重畳表示させるものであってもよいし、診断書様式画像に情報を埋め込んだものであってもよい。
【０１８２】
表示制御部２３は、当該患者の医療情報３２から検索された情報と合成画像とを並べて表示部４１に表示させる（Ｓ８８）。このときの表示態様は、図７と同様である。なお、合成画像のみを表示させることも可能であるが、医療情報３２から検索された情報も表示させることにより、作成された診断書（合成画像）への記入内容を確認することができる。
【０１８３】
このような診断書作成支援装置によれば、患者と診断書の様式とを指定するだけで、診断書を自動的に作成することが可能である。したがって、診断書の作成作業に掛かる負担を効果的に軽減することが可能である。また、作成された診断書の内容確認を容易に行うことが可能である。
【０１８４】
また、作成された診断書に記入された情報への加筆や、貼り付け位置の調整などを行うことも可能である。特に、診断書様式画像上に情報を重畳表示させる場合には、加筆や位置調整を容易に行える。
【０１８５】
また、この実施形態に係る診断書作成支援装置は、スキャナ６を備えていてもよい。この場合、診断書作成支援装置は、医療情報が記入される前の診断書に印刷された情報スキャナ６で読み取り、読み取られた情報を様式情報３１として記憶し、読み取られた情報に基づく画像を診断書様式画像として用いるように構成されていてもよい。
【０１８６】
このような診断書作成支援装置によれば、様式情報３１として蓄積されていない様式の診断書であっても作成することが可能になる。
【０１８７】
また、この実施形態に係る診断書作成支援装置は、スキャナ６により情報が読み取られた診断書の様式と、様式情報３１に示す様式とが一致するか否か判断し、一致しないと判断された場合には、スキャナ６で読み取られた情報に基づいて様式情報３１を更新するように構成されていてもよい。
【０１８８】
このような診断書作成支援装置によれば、診断書の様式変更に好適に対処することができ、過去の様式の診断書を作成してしまうような事態を回避することが可能になる。
【０１８９】
また、この実施形態に係る診断書作成支援装置は、診断書に印刷された文字列情報を読み取り、この文字列情報を解析して当該診断書への記入項目を特定し、特定された記入項目に該当する情報を当該患者の医療情報３２から検索し、検索された情報のみを診断書様式画像とともに表示するように構成されていてもよい。
【０１９０】
このような診断書作成支援装置によれば、診断書への記入項目に関する情報が事前に得られていない場合であっても、その記入項目に合わせた医療情報を選択的に呈示することができ、迅速かつ容易に診断書を作成することができる。
【０１９１】
また、この実施形態に係る診断書作成支援装置は、診断書に印刷された文字列情報を読み取るとともに、この診断書における文字列情報の印刷位置情報を取得する文字列読取手段（スキャナ６、ＯＣＲソフトウェア等）を具備していてもよい。ここで、印刷位置情報は、診断書の紙面における文字列情報の印刷位置を表す情報である。
【０１９２】
この場合、診断書作成支援装置は、診断書から読み取られた文字列情報を解析して当該診断書への記入項目を特定するとともに、印刷位置情報に基づいて当該記入項目の情報の当該診断書への記入領域を特定する。更に、診断書作成支援装置は、特定された記入項目と記入領域に基づいて当該診断書に対応する関連情報３３を生成して記憶部３に記憶する。
【０１９３】
このような診断書作成支援装置によれば、新たな様式の診断書に対応する関連情報３３を自動的に作成することが可能である。
【０１９４】
また、この実施形態に係る診断書作成支援装置は、診断書様式画像に情報を合成した合成画像を出力することができる。その出力態様としては、印刷、送信、メディア記録などがある。
【０１９５】
また、この実施形態に係る診断書作成支援装置は、合成画像中における情報の位置情報を取得し、当該情報と当該位置情報に基づいて所定の出力結果を得ることが可能に構成されている。この出力態様としては、印刷、送信、メディア記録などがある。このような情報出力を可能とすることにより、患者が持参した記入用紙などの特定の用紙に情報を印刷することができる。
【０１９６】
〈第３の実施形態〉
第３の実施形態に係る診断書作成支援装置について説明する。前述のように、この診断書作成支援装置は、診断書への情報入力を半自動で行うものである。以下、第１の実施形態と同様の構成部位については同じ符号を用いて説明する。
【０１９７】
この実施形態に係る診断書作成支援装置の構成例を図１２に示す。この診断書作成支援装置１０は、第１の実施形態とほぼ同様の構成を備えている。なお、関連情報３３は、第２の実施形態と同様に、診断書の様式に対して、診断書への記入項目と、当該記入項目の情報の記入領域とを関連付ける情報、すなわち、診断書の様式に対して、その診断書に記入される情報の種類（属性）と、各属性の情報の診断書への記入位置とを関連付ける情報である。
【０１９８】
診断書作成支援装置１０の制御部２には表示変更部２４が設けられている。表示変更部２４は、この発明の「変更手段」の例である。
【０１９９】
診断書作成支援装置１０は、第１の実施形態と同様に、指定された様式の診断書への記入項目を特定し、特定された記入項目に該当する情報を当該患者の医療情報３２から検索する。そして、検索された情報と診断書様式画像とを並べて表示する。
【０２００】
表示変更部２４は、表示された情報のうちのいずれかが指定されたときに、次のように動作する。すなわち、表示変更部２４は、指定された情報に対応する診断書様式画像中の記入領域を関連情報３３に基づいて特定し、更に、特定された記入領域の表示態様を変更する。
【０２０１】
表示変更部２４が実行する処理の具体例を説明する。前述のように、関連情報３３は、診断書の様式に対して記入項目と記入領域とを関連付けている。表示変更部２４は、指定された情報の属性情報（前述）と関連情報３３に示す記入項目とを照合することにより、指定された情報に対応する記入項目を特定する。更に、表示変更部２４は、関連情報３３を参照することにより、特定された記入項目に対応する記入領域を特定する。最後に、表示変更部２４は、表示されている診断書様式画像中の、特定された記入領域の表示態様を変更する。
【０２０２】
記入領域の表示態様は、たとえば次のように変更される。まず、記入領域の表示色を変更することができる。また、矢印の画像や枠状の画像によって記入領域を指し示すこともできる。また、記入領域の明るさを変更することができる。また、記入領域を点滅表示させることができる。記入領域の表示態様の変更方法は、これらに限定されるものではなく、記入領域を認識可能にする任意の方法を適用することが可能である。また、記入領域に対応する記入項目を読み上げる音声情報を出力するなどしてもよい。
【０２０３】
診断書作成支援装置１０の動作例について、図１３を参照しながら説明する。
【０２０４】
まず、医師は、操作部４２を操作して、患者と診断書の様式とを指定する（Ｓ１０１）。制御部２は、通信部９を制御し、医療情報データベース１０００に患者識別情報を送信する。医療情報データベース１０００は、この患者識別情報に関連付けられた情報（電子カルテ情報等）を検索し、診断書作成支援装置１に送信する。制御部２は、医療情報データベース１０００から取得した情報を医療情報３２として記憶部３に記憶させる（Ｓ１０２）。
【０２０５】
特定処理部２１は、ステップ１０１で指定された様式（様式識別情報）の診断書への記入項目を関連情報３３に基づいて特定する（Ｓ１０３）。検索処理部２２は、特定された記入項目に該当する情報を当該患者の医療情報３２から検索する（Ｓ１０４）。
【０２０６】
制御部２は、ステップ１０１で指定された様式を表す情報を様式情報３１から選択する（Ｓ１０５）。表示制御部２３は、様式情報３１（から選択された情報）に基づく診断書様式画像と、ステップ１０４で検索された情報とを並べて表示部４１に表示させる（Ｓ１０６）。このときの表示態様は、第１の実施形態と同様である（図５の診断書作成画面１００を参照）。
【０２０７】
医師は、操作部４２を操作して、医療情報表示領域１０３に表示された情報のうちのいずれかを指定する（Ｓ１０７）。この指定操作は、たとえば所望の情報をクリックすることにより行う。指定される情報の個数は、１つ以上の任意個数でよい。以下、１つの情報が指定された場合について説明する。
【０２０８】
複数の情報が指定された場合には、指定された各情報に対して以下の処理を個別に行えばよい。なお、複数の情報が指定された場合には、複数の記入領域の表示態様が変更される。このとき、各記入領域の表示態様が異なるように変更を加えてもよいし、幾つかの記入領域の表示態様が同じになるように変更を加えてもよい。
【０２０９】
さて、表示された情報が指定されると、表示変更部２４は、指定された情報に対応する診断書様式画像１１０中の記入領域を関連情報３３に基づいて特定する（Ｓ１０８）。更に、表示変更部２４は、特定された記入領域の表示態様を変更する（Ｓ１０９）。
【０２１０】
医師は、表示態様が変更された記入領域を確認し、指定された情報が記入される領域として正しいか判断する。正しい場合、医師は、操作部４２によって所定の操作を行う（Ｓ１１０）。この所定の操作としては、たとえばマウスのクリック操作、ダブルクリック操作、キーボードの所定のキー（たとえばエンターキー）の押下などがある。
【０２１１】
なお、指定された領域が正しくない場合には、操作部４２を用いて正しい記入領域を指定することができる。このとき、指定された記入領域の表示態様を変更するようにしてもよい。
【０２１２】
所定の操作がなされると、画像生成部５は、ステップ１０９で表示態様が変更された記入領域に、ステップ１０７で指定された情報を合成して合成画像を生成する（Ｓ１１１）。指定された情報が文字列情報である場合には、フォントサイズや改行態様などを変換してから合成するようにしてもよい。なお、ステップ１１１において、表示制御部２３により当該記入領域上に当該情報を重ねて表示させるようにしてもよい。
【０２１３】
上記の要領で必要な情報を診断書様式画像１１０に貼り付けたら、その合成画像、つまり作成された診断書を出力する（Ｓ１１２）。なお、患者が持参した記入用紙に印刷する場合などには、診断書様式画像１１０に貼り付けられた情報のみが出力される。以上で、この動作例の説明を終了する。
【０２１４】
上記の動作例では、指定された情報の記入領域の表示態様を変更するようになっている。逆に、診断書様式画像１１０中の記入領域が指定されたことに対応し、この記入領域に記入される情報の表示態様を変更するように構成することも可能である。
【０２１５】
この場合、表示変更部２４は次のように動作する。診断書様式画像１１０中の記入領域が操作部４２を用いて指定されると、表示変更部２４は、関連情報３３に基づいて、指定された記入領域に対応する情報を検索された情報のうちから特定し、特定された情報の表示態様を変更する。情報の表示態様は、たとえば記入領域の場合と同様に変更される。
【０２１６】
この場合の動作例を図１４に示す。まず、医師は、操作部４２を操作して、患者と診断書の様式とを指定する（Ｓ１２１）。診断書作成支援装置１０は、指定された患者の医療情報を医療情報データベース１０００から取得し、医療情報３２として記憶部３に記憶させる（Ｓ１２２）。
【０２１７】
特定処理部２１は、ステップ１２１で指定された様式の診断書への記入項目を関連情報３３に基づいて特定する（Ｓ１２３）。検索処理部２２は、特定された記入項目に該当する情報を当該患者の医療情報３２から検索する（Ｓ１２４）。
【０２１８】
制御部２は、ステップ１２１で指定された様式を表す情報を様式情報３１から選択する（Ｓ１２５）。表示制御部２３は、様式情報３１（から選択された情報）に基づく診断書様式画像と、ステップ１２４で検索された情報とを並べて表示部４１に表示させる（Ｓ１２６）。このときの表示態様は、第１の実施形態と同様である（図５の診断書作成画面１００を参照）。
【０２１９】
医師は、操作部４２を操作して、診断書様式画像１１０中の記入領域を指定する（Ｓ１２７）。この指定操作は、たとえば所望の記入領域をクリックすることにより行う。指定される記入領域の個数は、１つ以上の任意個数でよい。複数の記入領域が指定された場合についても上記動作例と同様である。
【０２２０】
記入領域が指定されると、表示変更部２４は、関連情報３３に基づいて、指定された記入領域に対応する情報を医療情報表示領域１０３に表示された情報のうちから特定する（Ｓ１２８）。更に、表示変更部２４は、特定された情報の表示態様を変更する（Ｓ１２９）。
【０２２１】
医師は、表示態様が変更された情報を確認し、指定された記入領域に記入される情報として正しいか判断する。正しい場合、医師は、操作部４２によって所定の操作を行う（Ｓ１３０）。
【０２２２】
なお、指定された領域が正しくない場合には、操作部４２を用いて正しい情報を指定することができる。このとき、指定された情報の表示態様を変更するようにしてもよい。
【０２２３】
所定の操作がなされると、画像生成部５は、ステップ１２７で指定された記入領域に、ステップ１２９で表示態様が変更された情報を合成して合成画像を生成する（Ｓ１３１）。指定された情報が文字列情報である場合には、フォントサイズや改行態様などを変換してから合成するようにしてもよい。なお、ステップ１３１において、表示制御部２３により当該記入領域上に当該情報を重ねて表示させるようにしてもよい。
【０２２４】
上記の要領で必要な情報を診断書様式画像１１０に貼り付けたら、その合成画像、つまり作成された診断書を出力する（Ｓ１３２）。なお、患者が持参した記入用紙に印刷する場合などには、診断書様式画像１１０に貼り付けられた情報のみが出力される。以上で、この動作例の説明を終了する。
【０２２５】
このような診断書作成支援装置１０によれば、指定された情報の記入領域を迅速かつ容易に見付けられるとともに、記入先の正否を迅速かつ容易に判断することができる。また、診断書作成支援装置１０によれば、指定された記入領域に記入される情報を迅速かつ容易に見付けられるとともに、この情報の正否を迅速かつ容易に判断することができる。したがって、診断書の作成作業に掛かる負担を効果的に軽減することが可能である。また、作成された診断書の内容確認を容易に行うことが可能である。
【０２２６】
また、作成された診断書に記入された情報への加筆や、貼り付け位置の調整などを行うことも可能である。特に、診断書様式画像上に情報を重畳表示させる場合には、加筆や位置調整を容易に行える。
【０２２７】
また、診断書作成支援装置１０は、医療情報が記入される前の診断書に印刷された情報スキャナ６で読み取り、読み取られた情報を様式情報３１として記憶し、読み取られた情報に基づく画像を診断書様式画像として用いるように構成されていてもよい。
【０２２８】
このような診断書作成支援装置１０によれば、様式情報３１として蓄積されていない様式の診断書であっても作成することが可能になる。
【０２２９】
また、診断書作成支援装置１０は、スキャナ６により情報が読み取られた診断書の様式と、様式情報３１に示す様式とが一致するか否か判断し、一致しないと判断された場合には、スキャナ６で読み取られた情報に基づいて様式情報３１を更新するように構成されていてもよい。
【０２３０】
このような診断書作成支援装置１０によれば、診断書の様式変更に好適に対処することができ、過去の様式の診断書を作成してしまうような事態を回避することが可能になる。
【０２３１】
また、診断書作成支援装置１０は、診断書に印刷された文字列情報を読み取り、この文字列情報を解析して当該診断書への記入項目を特定し、特定された記入項目に該当する情報を当該患者の医療情報３２から検索し、検索された情報のみを診断書様式画像とともに表示するように構成されていてもよい。
【０２３２】
このような診断書作成支援装置１０によれば、診断書への記入項目に関する情報が事前に得られていない場合であっても、その記入項目に合わせた医療情報を選択的に呈示することができ、迅速かつ容易に診断書を作成することができる。
【０２３３】
また、診断書作成支援装置１０は、診断書に印刷された文字列情報を読み取るとともに、この診断書における文字列情報の印刷位置情報を取得する文字列読取手段（スキャナ６、ＯＣＲソフトウェア等）を具備していてもよい。
【０２３４】
この場合、診断書作成支援装置１０は、診断書から読み取られた文字列情報を解析して当該診断書への記入項目を特定するとともに、印刷位置情報に基づいて当該記入項目の情報の当該診断書への記入領域を特定する。更に、診断書作成支援装置１０は、特定された記入項目と記入領域に基づいて当該診断書に対応する関連情報３３を生成して記憶部３に記憶する。
【０２３５】
このような診断書作成支援装置１０によれば、新たな様式の診断書に対応する関連情報３３を自動的に作成することが可能である。
【０２３６】
〈他の実施形態〉
この発明に係る診断書作成支援装置の他の実施形態について説明する。
【０２３７】
診断書の作成には費用が掛かる。そのためのオーダ情報（会計依頼）を自動的に生成することが可能である。このオーダ情報は、たとえば診断書が出力された時点で制御部２により生成される。なお、費用の額は、予め設定されている。オーダ情報には、少なくとも費用の額と患者識別情報が含まれる。生成されたオーダ情報は、たとえば、ネットワークＮ（ＬＡＮ）を介して所定の医事会計端末やサーバに送信される。このような構成とすることにより、会計処理の円滑化を図ることができる。
【０２３８】
保険会社に対する診断書の提出は、患者自身が行うのが一般的である。よって、診断書作成支援装置は、作成された診断書のデータ（合成画像等）を患者が指定したアドレスに向けて電子メール等で送信することが可能である。この場合、情報の秘匿性を鑑みて、送信データを暗号化してもよい。
【０２３９】
文字列情報を診断書様式画像に貼り付ける場合、前述のように、文字列情報全体が記入領域内に呈示されるように文字列情報の体裁（フォントサイズ、改行態様等）を変換することができる。このとき、記入領域内における文字列情報の記入位置を調整することが可能である。
【０２４０】
その一例として、記入領域の枠のサイズと、文字列情報のサイズ（長さ、フォントサイズ、改行態様）とに基づいて、文字列情報の中心位置を枠内の中心位置に配置させるように文字列情報の位置を調整できる。このとき、枠のサイズと文字列情報のサイズとの比を算出し、この比の値が適正になるように文字列情報を変換し、それから文字列情報を記入領域内に貼り付けることが可能である。ここで、サイズの比としては、たとえば縦、横の長さの比をそれぞれ算出する。また、比の適正値は、たとえば、文字列情報のサイズが枠のサイズ未満になるように設定される。
【０２４１】
上記実施形態では、表示された医療情報や診断書様式画像中の記入領域の指定操作は、マウス等を用いて行うようになっている。この指定操作の他の例として、音声入力を適用することが可能である。たとえば、医療情報を指定する場合には、その情報の項目名を読み上げ、これをマイクで受け付け、この音声情報を解析することにより指定された情報を特定することができる。記入領域を指定する場合には、対応する記入項目名を読み上げるようにすればよい。このような構成によれば、診断書の作成作業に掛かる負担を効果的に軽減することが可能である。特に、コンピュータの操作に不慣れな医師であっても、容易に診断書を作成することができる。
【０２４２】
〈プログラム〉
この発明に係るプログラムについて説明する。このプログラムは、コンピュータを、この発明に係る診断書作成支援装置として機能させる。以下、この発明に係るプログラムの４つの実施形態を説明する。
【０２４３】
［第１の実施形態］
この実施形態に係るプログラムは、コンピュータを、第１の実施形態に係る診断書作成支援装置として機能させるものである。コンピュータは、診断書の様式を表す様式情報と、診断書に記入される情報を含む患者毎の医療情報とを予め記憶している。
【０２４４】
この実施形態に係るプログラムは、このコンピュータを次のように機能させる：
（１） 患者を指定するための指定手段；
（２） 指定された患者の医療情報と、様式情報に基づく診断書様式画像とを並べて表示させる制御手段；
（３） 表示された医療情報に含まれる情報と診断書様式画像中の領域とが指定されたときに、診断書様式画像中の当該指定領域に当該情報を合成して合成画像を生成する生成手段。
【０２４５】
［第２の実施形態］
この実施形態に係るプログラムは、コンピュータを、第２の実施形態に係る診断書作成支援装置として機能させるものである。コンピュータは、診断書の様式を表す様式情報と、診断書に記入される情報を含む患者毎の医療情報と、診断書の様式と診断書への記入項目及び当該記入項目の情報の記入領域とを関連付ける関連情報を予め記憶している。
【０２４６】
この実施形態に係るプログラムは、このコンピュータを次のように機能させる：
（１） 患者及び診断書の様式を指定するための指定手段；
（２） 指定された様式の診断書への記入項目を関連情報に基づいて特定する特定手段；
（３） 特定された記入項目に該当する情報を、指定された患者の医療情報から検索する検索手段；
（４） 関連情報に基づいて、指定された様式の様式情報に基づく診断書様式画像への検索された情報の記入領域を特定し、この特定結果に基づいて、検索された情報を診断書様式画像に合成して合成画像を生成する生成手段；
（５） 検索された情報と合成画像とを並べて表示させる表示制御手段。
【０２４７】
［第３の実施形態］
この実施形態に係るプログラムは、コンピュータを、第３の実施形態に係る診断書作成支援装置（図１３に示す処理を実行する）として機能させるものである。コンピュータは、診断書の様式を表す様式情報と、診断書に記入される情報を含む患者毎の医療情報と、診断書の様式と診断書への記入項目及び当該記入項目の情報の記入領域とを関連付ける関連情報を予め記憶している。
【０２４８】
この実施形態に係るプログラムは、このコンピュータを次のように機能させる：
（１） 患者及び診断書の様式を指定するための指定手段；
（２） 指定された様式の診断書への記入項目を関連情報に基づいて特定する特定手段；
（３） 特定された記入項目に該当する情報を、指定された患者の医療情報から検索する検索手段；
（４） 検索された情報と指定された様式の様式情報に基づく診断書様式画像とを並べて表示させる表示制御手段；
（５） 表示された情報のうちのいずれかが指定されたときに、関連情報に基づいて当該指定された情報に対応する診断書様式画像中の記入領域を特定し、この特定された記入領域の表示態様を変更する変更手段；
（６） 所定の操作がなされたときに、診断書様式画像中の当該記入領域に当該情報を合成して合成画像を生成する生成手段。
【０２４９】
［第４の実施形態］
この実施形態に係るプログラムは、コンピュータを、第３の実施形態に係る診断書作成支援装置（図１４に示す処理を実行する）として機能させるものである。コンピュータは、診断書の様式を表す様式情報と、診断書に記入される情報を含む患者毎の医療情報と、診断書の様式と診断書への記入項目及び当該記入項目の情報の記入領域とを関連付ける関連情報を予め記憶している。
【０２５０】
この実施形態に係るプログラムは、このコンピュータを次のように機能させる：
（１） 患者及び診断書の様式を指定するための指定手段；
（２） 指定された様式の診断書への記入項目を関連情報に基づいて特定する特定手段；
（３） 特定された記入項目に該当する情報を、指定された患者の医療情報から検索する検索手段；
（４） 検索された情報と指定された様式の様式情報に基づく診断書様式画像とを並べて表示させる表示制御手段；
（５） 診断書様式画像中の記入領域が指定されたときに、関連情報に基づいて当該指定された記入領域に対応する情報を検索された情報のうちから特定し、この特定された情報の表示態様を変更する変更手段；
（６） 所定の操作がなされたときに、診断書様式画像中の当該記入領域に当該情報を合成して合成画像を生成する生成手段。
【０２５１】
これらプログラムは、診断書作成支援装置の実施形態で説明した各種の処理をコンピュータに実行させるように構成されていてもよい。たとえば、記入領域のサイズに合わせて文字列情報の体裁を調整する処理や、スキャナで読み取られた情報に基づく処理などをコンピュータに実行させるように構成できる（図４、図８〜図１１、図１３、図１４を参照）。
【０２５２】
以上のようなプログラムによれば、診断書の作成作業に掛かる負担を効果的に軽減することが可能である。
【０２５３】
ドライブ装置によって読み取り可能な任意の記録メディアに、この発明に係るプログラムを記録させることができる。この記録メディアとしては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、ハードディスクドライブやメモリ等の記憶装置に記憶させることも可能である。更に、インターネットやＬＡＮ等のネットワークを通じて、この発明に係るプログラムを送受信することも可能である。
【図面の簡単な説明】
【０２５４】
【図１】この発明に係る診断書作成支援装置の実施の形態の構成の一例を表す概略ブロック図である。
【図２】この発明に係る診断書作成支援装置の実施の形態における診断書の様式の一例を表す概略図である。
【図３】この発明に係る診断書作成支援装置の実施の形態における関連情報の一例を表す概略図である。
【図４】この発明に係る診断書作成支援装置の実施の形態の動作の一例を表すフローチャートである。
【図５】この発明に係る診断書作成支援装置の実施の形態による表示態様の一例を表す概略図である。
【図６】この発明に係る診断書作成支援装置の実施の形態による表示態様の一例を表す概略図である。
【図７】この発明に係る診断書作成支援装置の実施の形態による表示態様の一例を表す概略図である。
【図８】この発明に係る診断書作成支援装置の実施の形態の動作の一例を表すフローチャートである。
【図９】この発明に係る診断書作成支援装置の実施の形態の動作の一例を表すフローチャートである。
【図１０】この発明に係る診断書作成支援装置の実施の形態の動作の一例を表すフローチャートである。
【図１１】この発明に係る診断書作成支援装置の実施の形態の動作の一例を表すフローチャートである。
【図１２】この発明に係る診断書作成支援装置の実施の形態の構成の一例を表す概略ブロック図である。
【図１３】この発明に係る診断書作成支援装置の実施の形態の動作の一例を表すフローチャートである。
【図１４】この発明に係る診断書作成支援装置の実施の形態の動作の一例を表すフローチャートである。
【符号の説明】
【０２５５】
１、１０  診断書作成支援装置
２  制御部
２１  特定処理部
２２  検索処理部
２３  表示制御部
２４  表示変更部
３  記憶部
３１  様式情報
３２  医療情報
３３  関連情報
４  ユーザインターフェイス
４１  表示部
４２  操作部
５  画像生成部
５１  文字列変換部
６  スキャナ
７  情報更新部
８  画像出力部
９  通信部
１００  診断書作成画面
１０３  医療情報表示領域
１０４  様式画像表示領域
１０００  医療情報データベース
Ｎ  ネットワーク
【図１】
2009252023.tif 000003
【図２】
2009252023.tif 000004
【図３】
2009252023.tif 000005
【図４】
2009252023.tif 000006
【図５】
2009252023.tif 000007
【図６】
2009252023.tif 000008
【図７】
2009252023.tif 000009
【図８】
2009252023.tif 000010
【図９】
2009252023.tif 000011
【図１０】
2009252023.tif 000012
【図１１】
2009252023.tif 000013
【図１２】
2009252023.tif 000014
【図１３】
2009252023.tif 000015
【図１４】
2009252023.tif 000016